(57)【要約】  本願は、シグナリング伝送方法、装置及びネットワークデバイスを開示し、第１のネットワークノードが第２のネットワークノードに第１のシグナリングを送信することを含み、前記第１のシグナリングが第１のプロトコル層と第２のプロトコル層との層間シグナリングであり、前記第１のプロトコル層と前記第２のプロトコル層とが異なるネットワークノードに位置する。
2021532619.tif 000002
【特許請求の範囲】
【請求項１】
第１のネットワークノードが第２のネットワークノードに第１のシグナリングを送信することを含み、前記第１のシグナリングが第１のプロトコル層と第２のプロトコル層との層間シグナリングであり、前記第１のプロトコル層と前記第２のプロトコル層とが異なるネットワークノードに位置する
ことを特徴とするシグナリング伝送方法。
【請求項２】
前記第１のネットワークノードが第１の中継ノードであり、前記第２のネットワークノードがアンカー基地局であり、又は、
前記第１のネットワークノードがアンカー基地局であり、前記第２のネットワークノードが第１の中継ノードであり、又は、
前記第１のネットワークノードが第１の中継ノードであり、前記第２のネットワークノードが第２の中継ノードである
ことを特徴とする請求項１に記載のシグナリング伝送方法。
【請求項３】
前記第１の中継ノードが端末にサービスする中継ノードであり、又は、
前記第２の中継ノードが端末にサービスする中継ノードである
ことを特徴とする請求項２に記載のシグナリング伝送方法。
【請求項４】
前記第１の中継ノードが端末にサービスする中継ノードであり、前記第２の中継ノードが前記アンカー基地局に直接接続される中継ノードであり、又は、
前記第２の中継ノードが端末にサービスする中継ノードであり、前記第１の中継ノードが前記アンカー基地局に直接接続される中継ノードである
ことを特徴とする請求項２又は３に記載のシグナリング伝送方法。
【請求項５】
前記第１の中継ノードが端末にサービスするソース中継ノードであり、前記第２の中継ノードが端末にサービスする目標中継ノードであり、又は、
前記第２の中継ノードが端末にサービスするソース中継ノードであり、前記第１の中継ノードが端末にサービスする目標中継ノードである
ことを特徴とする請求項２に記載のシグナリング伝送方法。
【請求項６】
前記第１のシグナリングは、ＲＬＣ層のデータ伝送情報を含む
ことを特徴とする請求項１〜５のいずれか１項に記載のシグナリング伝送方法。
【請求項７】
前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報、
ベアラタイプ情報、
論理チャネル識別情報のうちの少なくとも１つを含む
ことを特徴とする請求項６に記載のシグナリング伝送方法。
【請求項８】
前記第１のシグナリングは、ＰＤＣＰデータパケットを破棄するように指示する制御命令を含む
ことを特徴とする請求項１〜７のいずれか１項に記載のシグナリング伝送方法。
【請求項９】
前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む
ことを特徴とする請求項８に記載のシグナリング伝送方法。
【請求項１０】
前記第１のシグナリングがアダプテーション層で伝送され、又は、
前記第１のシグナリングがＦ１ＡＰアプリケーションプロトコルで伝送される
ことを特徴とする請求項１〜９のいずれか１項に記載のシグナリング伝送方法。
【請求項１１】
第２のネットワークノードが第１のネットワークノードにより送信された第１のシグナリングを受信することを含み、前記第１のシグナリングが第１のプロトコル層と第２のプロトコル層との層間シグナリングであり、前記第１のプロトコル層と前記第２のプロトコル層とが異なるネットワークノードに位置する
ことを特徴とするシグナリング伝送方法。
【請求項１２】
前記第１のネットワークノードが第１の中継ノードであり、前記第２のネットワークノードがアンカー基地局であり、又は、
前記第１のネットワークノードがアンカー基地局であり、前記第２のネットワークノードが第１の中継ノードであり、又は、
前記第１のネットワークノードが第１の中継ノードであり、前記第２のネットワークノードが第２の中継ノードである
ことを特徴とする請求項１１に記載のシグナリング伝送方法。
【請求項１３】
前記第１の中継ノードが端末にサービスする中継ノードであり、又は、
前記第２の中継ノードが端末にサービスする中継ノードである
ことを特徴とする請求項１２に記載のシグナリング伝送方法。
【請求項１４】
前記第１の中継ノードが端末にサービスする中継ノードであり、前記第２の中継ノードが前記アンカー基地局に直接接続される中継ノードであり、又は、
前記第２の中継ノードが端末にサービスする中継ノードであり、前記第１の中継ノードが前記アンカー基地局に直接接続される中継ノードである
ことを特徴とする請求項１２又は１３に記載のシグナリング伝送方法。
【請求項１５】
前記第１の中継ノードが端末にサービスするソース中継ノードであり、前記第２の中継ノードが端末にサービスする目標中継ノードであり、又は、
前記第２の中継ノードが端末にサービスするソース中継ノードであり、前記第１の中継ノードが端末にサービスする目標中継ノードである
ことを特徴とする請求項１２に記載のシグナリング伝送方法。
【請求項１６】
前記第１のシグナリングは、ＲＬＣ層のデータ伝送情報を含む
ことを特徴とする請求項１１〜１５のいずれか１項に記載のシグナリング伝送方法。
【請求項１７】
前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報、
ベアラタイプ情報、
論理チャネル識別情報のうちの少なくとも１つを含む
ことを特徴とする請求項１６に記載のシグナリング伝送方法。
【請求項１８】
前記第１のシグナリングは、ＰＤＣＰデータパケットを破棄するように指示する制御命令を含む
ことを特徴とする請求項１１〜１７のいずれか１項に記載のシグナリング伝送方法。
【請求項１９】
前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む
ことを特徴とする請求項１８に記載のシグナリング伝送方法。
【請求項２０】
前記第１のシグナリングがアダプテーション層で伝送され、又は、
前記第１のシグナリングがＦ１ＡＰで伝送される
ことを特徴とする請求項１１〜１９のいずれか１項に記載のシグナリング伝送方法。
【請求項２１】
送信ユニットを備え、第１のネットワークノードに応用されるシグナリング伝送装置であって、
前記送信ユニットは、第２のネットワークノードに第１のシグナリングを送信するように構成され、前記第１のシグナリングが第１のプロトコル層と第２のプロトコル層との層間シグナリングであり、前記第１のプロトコル層と前記第２のプロトコル層とが異なるネットワークノードに位置する
ことを特徴とするシグナリング伝送装置。
【請求項２２】
前記第１のネットワークノードが第１の中継ノードであり、前記第２のネットワークノードがアンカー基地局であり、又は、
前記第１のネットワークノードがアンカー基地局であり、前記第２のネットワークノードが第１の中継ノードであり、又は、
前記第１のネットワークノードが第１の中継ノードであり、前記第２のネットワークノードが第２の中継ノードである
ことを特徴とする請求項２１に記載のシグナリング伝送装置。
【請求項２３】
前記第１の中継ノードが端末にサービスする中継ノードであり、又は、
前記第２の中継ノードが端末にサービスする中継ノードである
ことを特徴とする請求項２２に記載のシグナリング伝送装置。
【請求項２４】
前記第１の中継ノードが端末にサービスする中継ノードであり、前記第２の中継ノードが前記アンカー基地局に直接接続される中継ノードであり、又は、
前記第２の中継ノードが端末にサービスする中継ノードであり、前記第１の中継ノードが前記アンカー基地局に直接接続される中継ノードである
ことを特徴とする請求項２２又は２３に記載のシグナリング伝送装置。
【請求項２５】
前記第１の中継ノードが端末にサービスするソース中継ノードであり、前記第２の中継ノードが端末にサービスする目標中継ノードであり、又は、
前記第２の中継ノードが端末にサービスするソース中継ノードであり、前記第１の中継ノードが端末にサービスする目標中継ノードである
ことを特徴とする請求項２２に記載のシグナリング伝送装置。
【請求項２６】
前記第１のシグナリングは、ＲＬＣ層のデータ伝送情報を含む
ことを特徴とする請求項２１〜２５のいずれか１項に記載のシグナリング伝送装置。
【請求項２７】
前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報、
ベアラタイプ情報、
論理チャネル識別情報のうちの少なくとも１つを含む
ことを特徴とする請求項２６に記載のシグナリング伝送装置。
【請求項２８】
前記第１のシグナリングは、ＰＤＣＰデータパケットを破棄するように指示する制御命令を含む
ことを特徴とする請求項２１〜２７のいずれか１項に記載のシグナリング伝送装置。
【請求項２９】
前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む
ことを特徴とする請求項２８に記載のシグナリング伝送装置。
【請求項３０】
前記第１のシグナリングがアダプテーション層で伝送され、又は、
前記第１のシグナリングがＦ１ＡＰアプリケーションプロトコルで伝送される
ことを特徴とする請求項２１〜２９のいずれか１項に記載のシグナリング伝送装置。
【請求項３１】
受信ユニットを備え、第２のネットワークノードに応用されるシグナリング伝送装置であって、
前記受信ユニットは、第１のネットワークノードにより送信された第１のシグナリングを受信するように構成され、前記第１のシグナリングが第１のプロトコル層と第２のプロトコル層との層間シグナリングであり、前記第１のプロトコル層と前記第２のプロトコル層とが異なるネットワークノードに位置する
ことを特徴とするシグナリング伝送装置。
【請求項３２】
前記第１のネットワークノードが第１の中継ノードであり、前記第２のネットワークノードがアンカー基地局であり、又は、
前記第１のネットワークノードがアンカー基地局であり、前記第２のネットワークノードが第１の中継ノードであり、又は、
前記第１のネットワークノードが第１の中継ノードであり、前記第２のネットワークノードが第２の中継ノードである
ことを特徴とする請求項３１に記載のシグナリング伝送装置。
【請求項３３】
前記第１の中継ノードが端末にサービスする中継ノードであり、又は、
前記第２の中継ノードが端末にサービスする中継ノードである
ことを特徴とする請求項３２に記載のシグナリング伝送装置。
【請求項３４】
前記第１の中継ノードが端末にサービスする中継ノードであり、前記第２の中継ノードが前記アンカー基地局に直接接続される中継ノードであり、又は、
前記第２の中継ノードが端末にサービスする中継ノードであり、前記第１の中継ノードが前記アンカー基地局に直接接続される中継ノードである
ことを特徴とする請求項３２又は３３に記載のシグナリング伝送装置。
【請求項３５】
前記第１の中継ノードが端末にサービスするソース中継ノードであり、前記第２の中継ノードが端末にサービスする目標中継ノードであり、又は、
前記第２の中継ノードが端末にサービスするソース中継ノードであり、前記第１の中継ノードが端末にサービスする目標中継ノードである
ことを特徴とする請求項３２に記載のシグナリング伝送装置。
【請求項３６】
前記第１のシグナリングは、ＲＬＣ層のデータ伝送情報を含む
ことを特徴とする請求項３１〜３５のいずれか１項に記載のシグナリング伝送装置。
【請求項３７】
前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報、
ベアラタイプ情報、
論理チャネル識別情報のうちの少なくとも１つを含む
ことを特徴とする請求項３６に記載のシグナリング伝送装置。
【請求項３８】
前記第１のシグナリングは、ＰＤＣＰデータパケットを破棄するように指示する制御命令を含む
ことを特徴とする請求項３１〜３７のいずれか１項に記載のシグナリング伝送装置。
【請求項３９】
前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む
ことを特徴とする請求項３８に記載のシグナリング伝送装置。
【請求項４０】
前記第１のシグナリングがアダプテーション層で伝送され、又は、
前記第１のシグナリングがＦ１ＡＰで伝送される
ことを特徴とする請求項３１〜３９のいずれか１項に記載のシグナリング伝送装置。
【請求項４１】
プロセッサと、コンピュータプログラムを記憶するメモリとを備え、
前記プロセッサは、前記メモリに格納されたコンピュータプログラムを呼び出して実行し、請求項１〜８のいずれか１項に記載の方法、又は、請求項９〜１６のいずれか１項に記載の方法を実行する
ことを特徴とするネットワークデバイス。
【請求項４２】
コンピュータプログラムをメモリから呼び出して実行し、請求項１〜１０のいずれか１項に記載の方法、または請求項１１〜２０のいずれか１項に記載の方法をチップが搭載されたデバイスに実行させるプロセッサを有する
ことを特徴とするチップ。
【請求項４３】
請求項１〜１０のいずれか１項に記載の方法、又は請求項１１〜２０のいずれか１項に記載の方法をコンピュータに実行させるコンピュータプログラムを記憶する
ことを特徴とするコンピュータ可読記憶媒体。
【請求項４４】
請求項１〜１０のいずれか１項に記載の方法、又は請求項１１〜２０のいずれか１項に記載の方法をコンピュータに実行させるコンピュータプログラム命令を含む
ことを特徴とするコンピュータプログラム製品。
【請求項４５】
請求項１〜１０のいずれか１項に記載の方法、又は請求項１１〜２０のいずれか１項に記載の方法をコンピュータに実行させる
ことを特徴とするコンピュータプログラム。
【発明の詳細な説明】
【技術分野】
【０００１】
本願は、無線通信技術分野に関し、特に、シグナリング伝送方法、装置及びネットワークデバイスに関する。
【背景技術】
【０００２】
新しいラジオ(ＮＲ、Ｎｅｗ Ｒａｄｉｏ )システムにおいて、第３世代パートナーシッププロジェクト( ３ ＧＰＰ、３ ｒｄ Ｇｅｎｅｒａｔｉｏｎ Ｐａｒｔｎｅｒｓｈｉｐ Ｐｒｏｊｅｃｔ )の研究課題の１つは、無線中継であり、具体的には、中継ノード( ＲＮ、Ｒｅｌａｙ Ｎｏｄｅ )は、無線方式で、Ｄｏｎｏｒとも呼ばれる帰属されるアンカー基地局に接続され、端末は、Ｄｏｎｏｒに直接接続されてもよいし、１つ以上の中継ノードを介してＤｏｎｏｒに間接的に接続されてもよい。ＮＲは、無線中継に対して、１ )固定ノードから中継ノードへのマルチホップ伝送のサポートを要求すること、２ )固定ノードから中継ノードへの冗長経路伝送のサポートを要求すること、３ )中継ノードから固定ノードへのバックボーン経路の自動設定を要求すること、の要求を有する。
【０００３】
無線中継アーキテクチャは、ユーザー端末( ＵＥ、Ｕｓｅｒ Ｅｑｕｉｐｍｅｎｔ )から基地局への従来のシングルホップインタフェースとは異なり、送信側(例えば、Ｄｏｎｏｒ／ＵＥ )から１つのパケットデータコンバージェンスプロトコル( ＰＤＣＰ、Ｐａｃｋｅｔ Ｄａｔａ Ｃｏｎｖｅｒｇｅｎｃｅ Ｐｒｏｔｏｃｏｌ )プロトコルデータユニット( ＰＤＵ、Ｐｒｏｔｏｃｏｌ Ｄａｔａ Ｕｎｉｔ )データパケットが送信される場合、このデータパケットが次のホップネットワークノードに正しく送信されても、実際に、受信側(例えば、ＵＥ／Ｄｏｎｏｒ )によって正しく受信されない可能性がある。従来のＵＥから基地局へのシングルホップインタフェースでは、ＰＤＣＰ層は、無線リンク制御( ＲＬＣ、Ｒａｄｉｏ Ｌｉｎｋ Ｃｏｎｔｒｏｌ )層上のパケット正確な受信ステータス情報( ＡＲＱ ｓｔａｔｕｓ ｒｅｐｏｒｔ )を通してＲＬＣ伝送ステータスを知り、対応するデータ復元( ｄａｔａ ｒｅｃｏｖｅｒｙ )および再構築( ｒｅｅｓｔａｂｌｉｓｈｍｅｎｔ )プロセスをトリガーする。上述したように、中継ネットワークアーキテクチャにおいて、このＲＬＣ伝送ステータスがＰＤＣＰ層によって正しく知ることができない場合、ｄａｔａ ｒｅｃｏｖｅｒｙプロセス及びｒｅｅｓｔａｂｌｉｓｈｍｅｎｔプロセスの実現に影響を与える。
【０００４】
また、ＰＤＣＰ破棄（ ＰＤＣＰ ｄｉｓｃａｒｄ )について、現在の従来のＵＥから基地局へのシングルホップインタフェースでは、ＰＤＣＰ層は、ＲＬＣ層にパケット破棄を直接に指示することができるが、無線中継アーキテクチャでは、ＰＤＣＰ層及びＲＬＣ層は、異なるネットワークノードに位置し、それらの間に１つのアダプテーション層( Ａｄａｐｔ )があり、どのように層間のインタラクションを実現するかに関して解決が必要である。
【発明の概要】
【０００５】
本願の実施例は、上記の課題を解決するために、シグナリング伝送方法、装置及びネットワークデバイスを提供する。
【０００６】
本願の実施例におけるシグナリング伝送方法は、
第１のネットワークノードが第２のネットワークノードに第１のシグナリングを送信することを含み、前記第１のシグナリングが第１のプロトコル層と第２のプロトコル層との層間シグナリングであり、前記第１のプロトコル層と前記第２のプロトコル層とが異なるネットワークノードに位置する。
【０００７】
ある実施例において、前記第１のネットワークノードが第１の中継ノードであり、前記第２のネットワークノードがアンカー基地局であり、又は、
前記第１のネットワークノードがアンカー基地局であり、前記第２のネットワークノードが第１の中継ノードであり、又は、
前記第１のネットワークノードが第１の中継ノードであり、前記第２のネットワークノードが第２の中継ノードである。
【０００８】
ある実施例において、前記第１の中継ノードが端末にサービスする中継ノードであり、又は、前記第２の中継ノードが端末にサービスする中継ノードである。
【０００９】
ある実施例において、前記第１の中継ノードが端末にサービスする中継ノードであり、前記第２の中継ノードが前記アンカー基地局に直接接続される中継ノードであり、又は、前記第２の中継ノードが端末にサービスする中継ノードであり、前記第１の中継ノードが前記アンカー基地局に直接接続される中継ノードである。
【００１０】
ある実施例において、前記第１の中継ノードが端末にサービスするソース中継ノードであり、前記第２の中継ノードが端末にサービスする目標中継ノードであり、又は、前記第２の中継ノードが端末にサービスするソース中継ノードであり、前記第１の中継ノードが端末にサービスする目標中継ノードである。
【００１１】
ある実施例において、前記第１のシグナリングは、ＲＬＣ層のデータ伝送情報を含み、ある例において、前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報、
ベアラタイプ情報、
論理チャネル識別情報のうちの少なくとも１つを含む。
【００１２】
ある実施例において、前記第１のシグナリングはＰＤＣＰデータパケットを破棄するように指示する制御命令を含み、ある例において、前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む。
【００１３】
ある実施例において、前記第１のシグナリングがアダプテーション層で伝送され、又は、
前記第１のシグナリングがＦ１ＡＰアプリケーションプロトコルで伝送される。
【００１４】
本願の実施例におけるシグナリング伝送方法は、
第２のネットワークノードが第１のネットワークノードにより送信された第１のシグナリングを受信することを含み、前記第１のシグナリングが第１のプロトコル層と第２のプロトコル層との層間シグナリングであり、前記第１のプロトコル層と前記第２のプロトコル層とが異なるネットワークノードに位置する。
【００１５】
ある実施例において、前記第１のネットワークノードが第１の中継ノードであり、前記第２のネットワークノードがアンカー基地局であり、又は、
前記第１のネットワークノードがアンカー基地局であり、前記第２のネットワークノードが第１の中継ノードであり、又は、
前記第１のネットワークノードが第１の中継ノードであり、前記第２のネットワークノードが第２の中継ノードである。
【００１６】
ある実施例において、前記第１の中継ノードが端末にサービスする中継ノードであり、又は、前記第２の中継ノードが端末にサービスする中継ノードである。
【００１７】
ある実施例において、前記第１の中継ノードが端末にサービスする中継ノードであり、前記第２の中継ノードが前記アンカー基地局に直接接続される中継ノードであり、又は、前記第２の中継ノードが端末にサービスする中継ノードであり、前記第１の中継ノードが前記アンカー基地局に直接接続される中継ノードである。
【００１８】
ある実施例において、前記第１の中継ノードが端末にサービスするソース中継ノードであり、前記第２の中継ノードが端末にサービスする目標中継ノードであり、又は、前記第２の中継ノードが端末にサービスするソース中継ノードであり、前記第１の中継ノードが端末にサービスする目標中継ノードである。
【００１９】
ある実施例において、前記第１のシグナリングは、ＲＬＣ層のデータ伝送情報を含み、ある例において、前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報、
ベアラタイプ情報、
論理チャネル識別情報のうちの少なくとも１つを含む。
【００２０】
ある実施例において、前記第１のシグナリングはＰＤＣＰデータパケットを破棄するように指示する制御命令を含み、ある例において、前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む。
【００２１】
ある実施例において、前記第１のシグナリングがアダプテーション層で伝送され、又は、
前記第１のシグナリングがＦ１ＡＰで伝送される。
【００２２】
本願の実施例におけるシグナリング伝送装置は、第１のネットワークノードに応用され、前記装置は、送信ユニットを含み、
送信ユニットは、第２のネットワークノードに第１のシグナリングを送信するように構成され、前記第１のシグナリングが第１のプロトコル層と第２のプロトコル層との層間シグナリングであり、前記第１のプロトコル層と前記第２のプロトコル層とが異なるネットワークノードに位置する。
【００２３】
ある実施例において、前記第１のネットワークノードが第１の中継ノードであり、前記第２のネットワークノードがアンカー基地局であり、又は、
前記第１のネットワークノードがアンカー基地局であり、前記第２のネットワークノードが第１の中継ノードであり、又は、
前記第１のネットワークノードが第１の中継ノードであり、前記第２のネットワークノードが第２の中継ノードである。
【００２４】
ある実施例において、前記第１の中継ノードが端末にサービスする中継ノードであり、又は、前記第２の中継ノードが端末にサービスする中継ノードである。
【００２５】
ある実施例において、前記第１の中継ノードが端末にサービスする中継ノードであり、前記第２の中継ノードが前記アンカー基地局に直接接続される中継ノードであり、又は、前記第２の中継ノードが端末にサービスする中継ノードであり、前記第１の中継ノードが前記アンカー基地局に直接接続される中継ノードである。
【００２６】
ある実施例において、前記第１の中継ノードが端末にサービスするソース中継ノードであり、前記第２の中継ノードが端末にサービスする目標中継ノードであり、又は、前記第２の中継ノードが端末にサービスするソース中継ノードであり、前記第１の中継ノードが端末にサービスする目標中継ノードである。
【００２７】
ある実施例において、前記第１のシグナリングは、ＲＬＣ層のデータ伝送情報を含み、ある例において、前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報、
ベアラタイプ情報、
論理チャネル識別情報のうちの少なくとも１つを含む。
【００２８】
ある実施例において、前記第１のシグナリングはＰＤＣＰデータパケットを破棄するように指示する制御命令を含み、ある例において、前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む。
【００２９】
ある実施例において、前記第１のシグナリングがアダプテーション層で伝送され、又は、
前記第１のシグナリングがＦ１ＡＰアプリケーションプロトコルで伝送される。
【００３０】
本願の実施例におけるシグナリング伝送装置は、第２のネットワークノードに応用され、前記装置は、受信ユニットを含み、
受信ユニットは、第１のネットワークノードにより送信された第１のシグナリングを受信するように構成され、前記第１のシグナリングが第１のプロトコル層と第２のプロトコル層との層間シグナリングであり、前記第１のプロトコル層と前記第２のプロトコル層とが異なるネットワークノードに位置する。
【００３１】
ある実施例において、前記第１のネットワークノードが第１の中継ノードであり、前記第２のネットワークノードがアンカー基地局であり、又は、
前記第１のネットワークノードがアンカー基地局であり、前記第２のネットワークノードが第１の中継ノードであり、又は、
前記第１のネットワークノードが第１の中継ノードであり、前記第２のネットワークノードが第２の中継ノードである。
【００３２】
ある実施例において、前記第１の中継ノードが端末にサービスする中継ノードであり、又は、前記第２の中継ノードが端末にサービスする中継ノードである。
【００３３】
ある実施例において、前記第１の中継ノードが端末にサービスする中継ノードであり、前記第２の中継ノードが前記アンカー基地局に直接接続される中継ノードであり、又は、前記第２の中継ノードが端末にサービスする中継ノードであり、前記第１の中継ノードが前記アンカー基地局に直接接続される中継ノードである。
【００３４】
ある実施例において、前記第１の中継ノードが端末にサービスするソース中継ノードであり、前記第２の中継ノードが端末にサービスする目標中継ノードであり、又は、前記第２の中継ノードが端末にサービスするソース中継ノードであり、前記第１の中継ノードが端末にサービスする目標中継ノードである。
【００３５】
ある実施例において、前記第１のシグナリングは、ＲＬＣ層のデータ伝送情報を含み、ある例において、前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報、
ベアラタイプ情報、
論理チャネル識別情報のうちの少なくとも１つを含む。
【００３６】
ある実施例において、前記第１のシグナリングはＰＤＣＰデータパケットを破棄するように指示する制御命令を含み、ある例において、前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む。
【００３７】
ある実施例において、前記第１のシグナリングがアダプテーション層で伝送され、又は、
前記第１のシグナリングがＦ１ＡＰで伝送される。
【００３８】
本願の実施例におけるネットワークデバイスは、コンピュータプログラムを格納するメモリと、前記メモリに格納された前記コンピュータプログラムを呼び出して実行することにより、前記いずれかに記載のシグナリング伝送方法を実行するプロセッサとを備える。
【００３９】
本願の実施例のチップは、コンピュータプログラムをメモリから呼び出して実行し、チップを搭載する装置に前記シグナリング伝送方法のいずれかを実行させるプロセッサを備える。
【００４０】
本願の実施例は、上述のいずれかに記載のシグナリング伝送方法をコンピュータに実行させるコンピュータプログラムを記憶するためのコンピュータ可読記憶媒体を提供する。
【００４１】
本願の実施例は、上述のいずれかに記載のシグナリング伝送方法をコンピュータに実行させるコンピュータプログラム命令を含むコンピュータプログラム製品を提供する。
【００４２】
本願の実施例は、上述のいずれかに記載のシグナリング伝送方法をコンピュータに実行させるコンピュータプログラムを提供する。
【００４３】
本願の実施例の技術案では、設計された第１シグナリングにより、中継ノードとの中継ノードとのＲＬＣ層とＰＤＣＰ層との間のインタラクション、または、中継ノードとのアンカー基地局とのＲＬＣ層とＰＤＣＰ層との間インタラクションを実現し、ＰＤＣＰ層がＲＬＣ層の伝送状態を正しく知ることができ、ＰＤＣＰ層がＲＬＣ層にパケット破棄を指示することもできる。
【図面の簡単な説明】
【００４４】
本明細書で説明する図面は、本願のさらなる理解を提供するために提供され、本願の一部を構成し、本願の例示的な実施例およびその説明は、本願を説明するために使用され、本願を限定するようには構成されない。
【図１】本願の実施例に応用される通信システムの模式図である。
【図２】無線中継アーキテクチャのプロトコル実装の模式図である。
【図３】本願の実施例におけるシグナリング伝送方法のフローチャート一である。
【図４】本願の実施例におけるシグナリング伝送方法のフローチャート二である。
【図５】本願の実施例におけるシグナリング伝送装置の構成図一である。
【図６】本願の実施例におけるシグナリング伝送装置の構成図二である。
【図７】本願の実施例におけるネットワークデバイスの構成図である。
【図８】本願の実施例におけるチップのの構成図である。
【図９】本願の実施例における通信システムのブロック図である。
【発明を実施するための形態】
【００４５】
以下、本願の実施例について図面を参照して説明するが、本願は、この実施例に限定されるものではなく、本願の技術的思想に基づく各種の変形が可能である。本願における実施例に基づいて、当業者が創造的な労働をすることなく得られる全ての他の実施例は、本願の保護範囲に属する。
【００４６】
本願の実施例の技術的思想は、例えば、全地球移動通信( Ｇｌｏｂａｌ Ｓｙｓｔｅｍ ｏｆ Ｍｏｂｉｌｅ Ｃｏｍｍｕｎｉｃａｔｉｏｎ、ＧＳＭ )システム、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システム、汎用パケット無線サービス( Ｇｅｎｅｒａｌ Ｐａｃｋｅｔ Ｒａｄｉｏ Ｓｅｒｖｉｃｅ、ＧＰＲＳ )、ロングタームエボリューション( Ｌｏｎｇ Ｔｅｒｍ Ｅｖｏｌｕｔｉｏｎ、ＬＴＥ )システム、LTE周波数分割複信( Ｆｒｅｑｕｅｎｃｙ Ｄｉｖｉｓｉｏｎ Ｄｕｐｌｅｘ、ＦＤＤ )システム、LTE時分割複信( Ｔｉｍｅ  Ｄｉｖｉｓｉｏｎ  Ｄｕｐｌｅｘ、ＴＤＤ ）、汎用移動通信システム（ Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、全地球相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、ＷｉＭＡＸ )通信システム、又は５Ｇシステム等の様々な通信システムに適用可能である。
【００４７】
例とし、本願の実施例が応用される通信システム１００は、例えば図１に示すようなものである。ＲＮは、その帰属するアンカー基地局( Ｄｏｎｏｒ )と無線で接続され、この通信システムには、３つの無線リンクが含み、
１. ＲＮとＤｏｎｏｒとの間のバックホールリンク( Ｂａｃｋｈａｕｌ ｌｉｎｋ )、
２. ＵＥとＲＮとの間のアクセスリンク( Ａｃｃｅｓｓ ｌｉｎｋ )、
３. ＵＥとＤｏｎｏｒとの間の直接リンク( Ｄｉｒｅｃｔ ｌｉｎｋ )。
【００４８】
図１は、１つのＲＮを例示的に示し、ＵＥは、任意で、複数のＲＮを介してＤｏｎｏｒと間接的に接続されてもよく、本願実施例はこれに限定されない。
【００４９】
任意選択で、通信システム１００は、ネットワークコントローラ、モビリティ管理エンティティなどの他のネットワークエンティティをさらに含むことができ、本願の実施例はこれに限定されない。
【００５０】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００５１】
図２は、無線中継アーキテクチャのプロトコル実現方式の１つであり、図２に示すように、最も左側がＵＥ側のプロトコルであり、最も右側がＤｏｎｏｒ側のプロトコルであり、中間の部分が中継ノードのプロトコルであり、図２は、２つの中継ノードのプロトコルを示し、これに限定されず、ＵＥとＤｏｎｏｒは、他の数の中継ノードを有してもよい。無線中継アーキテクチャのプロトコルでは、ＵＥ及びＤｏｎｏｒは、ＰＤＣＰ層上でエンドツーエンド通信を実装し、ＲＬＣ層上でポイントツーポイント通信を実装する。さらに、１つのアダプテーション層( Ａｄａｐｔａｔｉｏｎ ｌａｙｅｒ )を用いてマルチホップルーティング転送機能を実現する。無線中継アーキテクチャの下で、ＰＤＣＰ層及びＲＬＣ層は、１つのアダプテーション層を隔たって、異なるネットワークノードに位置し、本願の実施例は、ＰＤＣＰ層とＲＬＣ層との間のインタラクション問題を解決する。
【００５２】
図３は本願の実施例におけるシグナリング伝送方法のフローチャート一であり、図３に示すように、前記シグナリング伝送方法は、以下のステップを含み、
ステップ３０１において、第１のネットワークノードが第２のネットワークノードに第１のシグナリングを送信し、前記第１のシグナリングが第１のプロトコル層と第２のプロトコル層との層間シグナリングであり、前記第１のプロトコル層と前記第２のプロトコル層とが異なるネットワークノードに位置する。
【００５３】
本願の実施例において、第１のシグナリングは、中継ノードと中継ノードとの間に応用されても良いし、中継ノードとアンカー基地局との間に応用されても良く、ここで、中継ノードが通常のＩＡＢ−ｎｏｄｅであり、アンカー基地局がＩＡＢ−ｄｏｎｏｒであっても良い。具体的に、以下のケースを有する。
【００５４】
１）前記第１のネットワークノードが第１の中継ノードであり、前記第２のネットワークノードがアンカー基地局であり、例えば、前記第１のネットワークノードが第１のＩＡＢ−ｎｏｄｅであり、前記第２のネットワークノードがＩＡＢ−ｄｏｎｏｒである。
【００５５】
２）前記第１のネットワークノードがアンカー基地局であり、前記第２のネットワークノードが第１の中継ノードであり、例えば、前記第１のネットワークノードがＩＡＢ−ｄｏｎｏｒであり、前記第２のネットワークノードが第１のＩＡＢ−ｎｏｄｅである。
【００５６】
３）前記第１のネットワークノードが第１の中継ノードであり、前記第２のネットワークノードが第２の中継ノードであり、例えば、前記第１のネットワークノードが第１のＩＡＢ−ｎｏｄｅであり、前記第２のネットワークノードが第２のＩＡＢ−ｎｏｄｅである。また、例えば、前記第１のネットワークノードが第２のＩＡＢ−ｎｏｄｅであり、前記第２のネットワークノードが第１のＩＡＢ−ｎｏｄｅである。
【００５７】
ある実施例において、前記第１の中継ノードが端末にサービスする中継ノードであり、又は、前記第２の中継ノードが端末にサービスする中継ノードである。
【００５８】
ある実施例において、前記第１の中継ノードが端末にサービスする中継ノードであり、前記第２の中継ノードが前記アンカー基地局に直接接続される中継ノードであり、又は、前記第２の中継ノードが端末にサービスする中継ノードであり、前記第１の中継ノードが前記アンカー基地局に直接接続される中継ノードである。
【００５９】
ある実施例において、前記第１の中継ノードが端末にサービスするソース中継ノードであり、前記第２の中継ノードが端末にサービスする目標中継ノードであり、又は、前記第２の中継ノードが端末にサービスするソース中継ノードであり、前記第１の中継ノードが端末にサービスする目標中継ノードである。
【００６０】
本願のある実施例において、前記第１のシグナリングは、ＲＬＣ層のデータ伝送情報を含み（ＲＬＣ層データ送信状況を示す）、前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報（ｂｅａｒｅｒ ＩＤ）、
ベアラタイプ情報、
論理チャネル識別情報（ＬＣＩＤ）のうちの少なくとも１つを含むのうちの少なくとも１つを含む。
【００６１】
ここで、ベアラタイプは、データベアラ（ＤＲＢ）又はシグナリングベアラ（ＳＲＢ）であっても良い。
【００６２】
ここで、ＲＬＣ層のデータ伝送情報は、異なるネットワークノードの間のＲＬＣ層からＰＤＣＰ層に報告される。
【００６３】
本願のある実施例において、前記第１のシグナリングはＰＤＣＰデータパケットを破棄するように指示する制御命令を含み、例として、前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む。
【００６４】
ここで、ＰＤＣＰデータパケットを破棄するように指示する制御命令は、異なるネットワークノードの間のＰＤＣＰ層からＲＬＣ層に送信される。
【００６５】
本願の実施例において、前記第１のシグナリングは、以下の方式で伝送される。
【００６６】
１）第１のシグナリングを介してアダプテーション層で伝送され、又は、２）前記第１のシグナリングがＦ１ＡＰで伝送される。
【００６７】
図４は本願の実施例におけるシグナリング伝送方法のフローチャート二であり、図４に示すように、前記シグナリング伝送方法は、以下のステップを含み、
ステップ４０１において、第２のネットワークノードが第１のネットワークノードにより送信された第１のシグナリングを受信し、前記第１のシグナリングが第１のプロトコル層と第２のプロトコル層との層間シグナリングであり、前記第１のプロトコル層と前記第２のプロトコル層とが異なるネットワークノードに位置する。
【００６８】
本願の実施例において、第１のシグナリングは、中継ノードと中継ノードとの間に応用されても良いし、中継ノードとアンカー基地局との間に応用されても良く、ここで、中継ノードが通常のＩＡＢ−ｎｏｄｅであり、アンカー基地局がＩＡＢ−ｄｏｎｏｒであっても良い。具体的に、以下のケースを有する。
【００６９】
１）前記第１のネットワークノードが第１の中継ノードであり、前記第２のネットワークノードがアンカー基地局であり、例えば、前記第１のネットワークノードが第１のＩＡＢ−ｎｏｄｅであり、前記第２のネットワークノードがＩＡＢ−ｄｏｎｏｒである。
【００７０】
２）前記第１のネットワークノードがアンカー基地局であり、前記第２のネットワークノードが第１の中継ノードであり、例えば、前記第１のネットワークノードがＩＡＢ−ｄｏｎｏｒであり、前記第２のネットワークノードが第１のＩＡＢ−ｎｏｄｅである。
【００７１】
３）前記第１のネットワークノードが第１の中継ノードであり、前記第２のネットワークノードが第２の中継ノードであり、例えば、前記第１のネットワークノードが第１のＩＡＢ−ｎｏｄｅであり、前記第２のネットワークノードが第２のＩＡＢ−ｎｏｄｅである。また、例えば、前記第１のネットワークノードが第２のＩＡＢ−ｎｏｄｅであり、前記第２のネットワークノードが第１のＩＡＢ−ｎｏｄｅである。
【００７２】
ある実施例において、前記第１の中継ノードが端末にサービスする中継ノードであり、又は、前記第２の中継ノードが端末にサービスする中継ノードである。
【００７３】
ある実施例において、前記第１の中継ノードが端末にサービスする中継ノードであり、前記第２の中継ノードが前記アンカー基地局に直接接続される中継ノードであり、又は、前記第２の中継ノードが端末にサービスする中継ノードであり、前記第１の中継ノードが前記アンカー基地局に直接接続される中継ノードである。
【００７４】
ある実施例において、前記第１の中継ノードが端末にサービスするソース中継ノードであり、前記第２の中継ノードが端末にサービスする目標中継ノードであり、又は、前記第２の中継ノードが端末にサービスするソース中継ノードであり、前記第１の中継ノードが端末にサービスする目標中継ノードである。
【００７５】
本願の実施例において、前記第１のシグナリングは、ＲＬＣ層のデータ伝送情報を含み（ＲＬＣ層データ送信状況を示す）、前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報（ｂｅａｒｅｒ ＩＤ）、
ベアラタイプ情報、
論理チャネル識別情報（ＬＣＩＤ）のうちの少なくとも１つを含む。
【００７６】
ここで、ベアラタイプは、データベアラ（ＤＲＢ）又はシグナリングベアラ（ＳＲＢ）である。
【００７７】
ここで、ＲＬＣ層のデータ伝送情報は、異なるネットワークノードの間のＲＬＣ層からＰＤＣＰ層に報告される。
【００７８】
本願のある実施例において、前記第１のシグナリングはＰＤＣＰデータパケットを破棄するように指示する制御命令を含み、ある例において、前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む。
【００７９】
ここで、ＰＤＣＰデータパケットを破棄するように指示する制御命令は、ネットワークノードの間のＰＤＣＰ層によりＲＬＣ層に送信される。
【００８０】
本願の実施例において、前記第１のシグナリングは、以下の方式伝送される。
【００８１】
１）第１のシグナリングを介してアダプテーション層で伝送され、又は、２）前記第１のシグナリングがＦ１ＡＰで伝送される。
【００８２】
以下、具体的な応用例を利用して本願の実施例による技術案を説明する。
【００８３】
応用例一：上り伝送に対して、ＲＬＣ層は、第１のシグナリングを介してＰＤＣＰ層にＲＬＣ層のデータ伝送情報を報告し、
１）ＵＥがＰＤＣＰ ＰＤＵをＵＥのＲＬＣ層に送信し、ＲＬＣ層で処理された後、前記ＵＥにサービスするＩＡＢ−ｎｏｄｅに送信する。
【００８４】
２) ＩＡＢ−ｎｏｄｅは、このＲＬＣ ＳＤＵ／ＰＤＣＰ ＰＤＵ (および他のＲＬＣ ＳＤＵ／ＰＤＣＰ ＰＤＵ )によって生成されたＲＬＣ ＰＤＵを正しく受信するが、ＡＣＫをすぐにフィードバックしなく、ＲＬＣ ＳＤＵ／ＰＤＣＰ ＰＤＵをさらに上位のＩＡＢ−ｎｏｄｅ／ＩＡＢ−ｄｏｎｏｒに送信する。
【００８５】
３) ＩＡＢ−ｄｏｎｏｒがこのＰＤＣＰ ＰＤＵ／ＲＬＣ ＳＤＵを正しく受信した後、
-ＩＡＢ−ｄｏｎｏｒにより、ＵＥにサービスするＩＡＢ−ｎｏｄｅにシグナリングを送信し、ＲＬＣ層のデータ伝送情報をフィードバックし、または、
-ＩＡＢ−ｄｏｎｏｒに直接接続されたＩＡＢ−ｎｏｄｅによって、ＵＥにサービスするＩＡＢ−ｎｏｄｅにシグナリングを送信し、ＲＬＣ層のデータ送信情報をフィードバックし、
前記シグナリングがＦ１ＡＰ又はアダプテーション層で伝送される。
【００８６】
４) ＵＥにサービスするＩＡＢ−ｎｏｄｅは、ＲＬＣ ＰＤＵに対応するＲＬＣ ＳＤＵ／ＰＤＣＰ ＰＤＵをすべて含むシグナリングを受信し、ＡＣＫをＵＥにフィードバックする。
【００８７】
応用例二：下り伝送に対して、ＲＬＣ層は第１のシグナリングを介してＰＤＣＰ層にＲＬＣ層のデータ伝送情報を報告し、
１) ＩＡＢ−ｄｏｎｏｒは、ＩＡＢ−ｄｏｎｏｒのＲＬＣ層にＰＤＣＰ ＰＤＵを送信し、ＲＬＣ層で処理された後、ＩＡＢ−ｄｏｎｏｒに直接接続されたＩＡＢ−ｎｏｄｅに送信する。
【００８８】
２) ＩＡＢ−ｄｏｎｏｒに直接接続されたＩＡＢ−ｎｏｄｅは、ＲＬＣ ＳＤＵ／ＰＤＣＰ ＰＤＵ (および他のＲＬＣ ＳＤＵ／ＤＣＰ ＰＤＵ )によって生成されたＲＬＣ ＰＤＵを正しく受信し、任意選択で、ＡＣＫをすぐにフィードバックしなく、前記ＲＬＣ ＳＤＵ／ＰＤＣＰ ＰＤＵを下位のＩＡＢ−ｎｏｄｅに送る。
【００８９】
３）ＵＥがＰＤＣＰ ＰＤＵ／ＲＬＣ ＳＤＵを正しく受信した後、
-前記ＵＥにサービスするＩＡＢ−ｎｏｄｅによって、ＩＡＢ−ｄｏｎｏｒにシグナリングを送信し、ＲＬＣ送信状況をフィードバックし、または、
-ＵＥをサービスするＩＡＢ−ｎｏｄｅによって、ＩＡＢ−ｄｏｎｏｒに直接接続されたＩＡＢ−ｎｏｄｅにシグナリングを送信し、ＲＬＣ送信状況をフィードバックし、その後、ＩＡＢ−ｄｏｎｏｒに直接接続されたＩＡＢ−ｎｏｄｅは、ＩＡＢ−ｄｏｎｏｒにシグナリングを送信し、ＡＣＫをフィードバックする。
【００９０】
前記シグナリングは、Ｆ１ＡＰ又はアダプテーション層で伝送される。
【００９１】
応用例３：下り伝送に対して、ＰＤＣＰ層は、第１シグナリングを介して、ＲＬＣ層がＰＤＣＰデータパケットを破棄するよう指示する
１）ＩＡＢ−ｄｏｎｏｒがＰＤＣＰ ＰＤＵをＩＡＢ−ｄｏｎｏｒのＲＬＣ層に送信する。
【００９２】
任意選択で、ＲＬＣ処理されてＩＡＢ−ｄｏｎｏｒに直接接続されるＩＡＢ−ｎｏｄｅに送信される。
【００９３】
２) ＩＡＢ−ｄｏｎｏｒのｄｉｓｃａｒｄ ｔｉｍｅｒがタイムアウトし、前記ｄｉｓｃａｒｄ命令を、目標ＵＥ伝送データの少なくとも１つのＩＡＢ−ｎｏｄｅに送信する。
【００９４】
３) ＩＡＢ−ｎｏｄｅが前記ｄｉｓｃａｒｄ命令を受信した場合、下位層にデータが送信されていない場合、データは破棄される。
【００９５】
図５は本願の実施例におけるシグナリング伝送装置の構成図一であり、第１のネットワークノードに応用され、図５に示すように、前記シグナリング伝送装置は、送信ユニット５０１を含み、
送信ユニット５０１は、第２のネットワークノードに第１のシグナリングを送信するように構成され、前記第１のシグナリングが第１のプロトコル層と第２のプロトコル層との層間シグナリングであり、前記第１のプロトコル層と前記第２のプロトコル層とが異なるネットワークノードに位置する。
【００９６】
ある実施例において、前記第１のネットワークノードが第１の中継ノードであり、前記第２のネットワークノードがアンカー基地局であり、又は、
前記第１のネットワークノードがアンカー基地局であり、前記第２のネットワークノードが第１の中継ノードであり、又は、
前記第１のネットワークノードが第１の中継ノードであり、前記第２のネットワークノードが第２の中継ノードである。
【００９７】
ある実施例において、前記第１の中継ノードが端末にサービスする中継ノードであり、又は、前記第２の中継ノードが端末にサービスする中継ノードである。
【００９８】
ある実施例において、前記第１の中継ノードが端末にサービスする中継ノードであり、前記第２の中継ノードが前記アンカー基地局に直接接続される中継ノードであり、又は、前記第２の中継ノードが端末にサービスする中継ノードであり、前記第１の中継ノードが前記アンカー基地局に直接接続される中継ノードである。
【００９９】
ある実施例において、前記第１の中継ノードが端末にサービスするソース中継ノードであり、前記第２の中継ノードが端末にサービスする目標中継ノードであり、又は、前記第２の中継ノードが端末にサービスするソース中継ノードであり、前記第１の中継ノードが端末にサービスする目標中継ノードである。
【０１００】
ある実施例において、前記第１のシグナリングは、ＲＬＣ層のデータ伝送情報を含み、ある例において、前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報、
ベアラタイプ情報、
論理チャネル識別情報のうちの少なくとも１つを含む。
【０１０１】
ある実施例において、前記第１のシグナリングはＰＤＣＰデータパケットを破棄するように指示する制御命令を含み、ある例において、前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む。
【０１０２】
ある実施例において、前記第１のシグナリングがアダプテーション層で伝送され、又は、
前記第１のシグナリングがＦ１ＡＰアプリケーションプロトコルで伝送される。
【０１０３】
図５に示すシグナリング伝送装置の各ユニットの実現機能は、前述したシグナリング伝送方法の説明を参照すれば理解される。図５に示すシグナリング伝送装置における各ユニットの機能は、プロセッサ上で動作するプログラムによって実現してもよいし、具体的な論理回路によって実現してもよい。
【０１０４】
図６は本願の実施例におけるシグナリング伝送装置の構成図二であり、第２のネットワークノードに応用され、図６に示すように、前記シグナリング伝送装置は、受信ユニット６０１を含み、
受信ユニット６０１は、第１のネットワークノードにより送信された第１のシグナリングを受信するように構成され、前記第１のシグナリングが第１のプロトコル層と第２のプロトコル層との層間シグナリングであり、前記第１のプロトコル層と前記第２のプロトコル層とが異なるネットワークノードに位置する。
【０１０５】
ある実施例において、前記第１のネットワークノードが第１の中継ノードであり、前記第２のネットワークノードがアンカー基地局であり、又は、
前記第１のネットワークノードがアンカー基地局であり、前記第２のネットワークノードが第１の中継ノードであり、又は、
前記第１のネットワークノードが第１の中継ノードであり、前記第２のネットワークノードが第２の中継ノードである。
【０１０６】
ある実施例において、前記第１の中継ノードが端末にサービスする中継ノードであり、又は、前記第２の中継ノードが端末にサービスする中継ノードである。
【０１０７】
ある実施例において、前記第１の中継ノードが端末にサービスする中継ノードであり、前記第２の中継ノードが前記アンカー基地局に直接接続される中継ノードであり、又は、前記第２の中継ノードが端末にサービスする中継ノードであり、前記第１の中継ノードが前記アンカー基地局に直接接続される中継ノードである。
【０１０８】
ある実施例において、前記第１の中継ノードが端末にサービスするソース中継ノードであり、前記第２の中継ノードが端末にサービスする目標中継ノードであり、又は、前記第２の中継ノードが端末にサービスするソース中継ノードであり、前記第１の中継ノードが端末にサービスする目標中継ノードである。
【０１０９】
ある実施例において、前記第１のシグナリングは、ＲＬＣ層のデータ伝送情報を含み、ある例において、前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報、
ベアラタイプ情報、
論理チャネル識別情報のうちの少なくとも１つを含む。
【０１１０】
ある実施例において、前記第１のシグナリングはＰＤＣＰデータパケットを破棄するように指示する制御命令を含み、ある例において、前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む。
【０１１１】
ある実施例において、前記第１のシグナリングがアダプテーション層で伝送され、又は、
前記第１のシグナリングがＦ１ＡＰで伝送される。
【０１１２】
図６に示すシグナリング伝送装置の各ユニットの実現機能は、前述したシグナリング伝送方法の説明を参照すれば理解される。図６に示すシグナリング伝送装置における各ユニットの機能は、プロセッサ上で動作するプログラムによって実現してもよいし、具体的な論理回路によって実現してもよい。
【０１１３】
図７は、本願の実施例によって提供されるネットワークデバイス６００の概略構成図であり、図７に示されるネットワークデバイス６００は、メモリからコンピュータプログラムを呼び出して実行することにより、本願の実施例における方法を実行することができるプロセッサ６１０を含む。
【０１１４】
任意選択で、図７に示されるように、ネットワークデバイス６００は、メモリ６２０をさらに含み得る。プロセッサ６１０は、メモリ６２０からコンピュータプログラムを呼び出して実行することにより、本願の実施例における方法を実施する。
【０１１５】
ここで、メモリ６２０は、プロセッサ６１０とは独立した１つの別個の部品であってもよく、プロセッサ６１０に集積されてもよい。
【０１１６】
任意選択で、図７に示すように、ネットワークデバイス６００は、プロセッサ６１０が他のデバイスと通信するように制御することができる、具体的には、他のデバイスに情報又はデータを送信するか、又は他のデバイスによって送信された情報又はデータを受信することができる、送受信機６３０を更に含むことができる。
【０１１７】
送受信機６３０は、送信機および受信機を含み得る。送受信機６３０は、１つ以上の数のアンテナをさらに含むことができる。
【０１１８】
任意選択で、ネットワークデバイス６００は、特に、本願の実施例のネットワークデバイスであってもよく、ネットワークデバイス６００は、本願の実施例の様々な方法において、ネットワークデバイスにより実施される対応するフローを実施してもよく、簡潔性のために、ここで詳しい説明を省略する。
【０１１９】
任意選択で、ネットワークデバイス６００は、特に、本願の実施例の移動端末/端末デバイスであってもよく、ネットワークデバイス６００は、本願の実施例の様々な方法のうち移動端末/端末デバイスによって実施される対応するフローを実施してもよく、簡潔性のために、ここで詳しい説明を省略する。
【０１２０】
図８は、本願の実施例におけるチップの概略構成図である。図８に示されるチップ７００は、メモリからコンピュータプログラムを呼び出して実行することにより、本願の実施例における方法を実行することができるプロセッサ７１０を含む。
【０１２１】
任意選択で、図８に示すように、チップ７００は、メモリ７２０をさらに含むことができる。プロセッサ７１０は、メモリ７２０からコンピュータプログラムを呼び出して実行することにより、本願の実施例における方法を実現することができる。
【０１２２】
ここで、メモリ７２０は、プロセッサ７１０とは独立した別個の部品であってもよく、プロセッサ７１０に集積されていてもよい。
【０１２３】
任意選択で、チップ７００は、入力インターフェース７３０をさらに含むことができる。プロセッサ７１０は、入力インターフェース７３０を制御して他のデバイスまたはチップと通信してもよく、具体的には、他のデバイスまたはチップによって送信された情報またはデータを取得してもよい。
【０１２４】
任意選択で、チップ７００は、出力インターフェース７４０をさらに含み得る。プロセッサ７１０は、出力インターフェース７４０を制御して、他のデバイス又はチップと通信してもよく、具体的には、他のデバイス又はチップに情報又はデータを出力してもよい。
【０１２５】
任意選択で、チップは、本願の実施例におけるネットワークデバイスに適用されてもよく、チップは、本願の実施例の様々な方法においてネットワークデバイスによって実施される対応するフローを実施してもよく、簡潔にするためにここでは詳しい説明を省略する。
【０１２６】
任意選択で、チップは、本願の実施例における移動端末/端末デバイスに適用されてもよく、チップは、本願の実施例の様々な方法における移動端末/端末デバイスによって実施される対応するフローを実施してもよく、簡潔にするためにここでは詳しい説明を省略する。
【０１２７】
なお、本願の実施例で言及されるチップは、システムチップ、チップシステム、またはシステムオンチップなどと呼ばれることもある。
【０１２８】
図９は、本願の実施例によって提供される通信システム９００の概略的なブロック図である。図９に示すように、通信システム９００は、端末デバイス９１０と、ネットワークデバイス９２０とを有する。
【０１２９】
ここで、該端末デバイス９１０は、上記方法のうち端末デバイスによって実現される対応する機能を実現するために使用され、該ネットワークデバイス９２０は、上記方法のうちネットワークデバイスによって実現される対応する機能を実現するために使用され、簡潔にするために、ここでは詳しい説明を省略する。
【０１３０】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１３１】
本願の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ（ Ｐｒｏｇｒａｍｍａｂｌｅ ＲＯＭ、ＰＲＯＭ ）、消去可能プログラマブルリードオンリーメモリ（ Ｅｒａｓａｂｌｅ ＰＲＯＭ、ＥＰＲＯＭ ）、電気的消去可能プログラマブルリードオンリーメモリ（ Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ（ Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ（ Ｓｙｎｃｈｌｉｎｋ ＤＲＡＭ、ＳＬＤＲＡＭ ）、及びダイレクトメモリバスランダムアクセスメモリ（ Ｄｉｒｅｃｔ Ｒａｍｂｕｓ ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されない。
【０１３２】
上述のメモリは、限定ではなく例示的であるが、例えば、本願の実施例におけるメモリは、スタティックランダムアクセスメモリ( ｓｔａｔｉｃ ＲＡＭ、ＳＲＡＭ )、ダイナミックランダムアクセスメモリ（ ｄｙｎａｍｉｃ ＲＡＭ、ＤRＡM )、同期ダイナミックランダムアクセスメモリ( ｓｙｎｃｈｒｏｎｏｕｓ ＤＲＡＭ、ＳＤＲＡＭ )、デュアルデータレート同期ダイナミックランダム悪せスメモリ( ｄｏｕｂｌｅ ｄａｔａ ｒａｔｅ ＳＤＲＡＭ、ＤＤＲ ＳＤＲＡＭ )、拡張同期ダイナミックランダムあクセスメモリ( ｅｎｈａｎｃｅｄ ＳＤＲＡＭ、ＥＳＤＲＡＭ )、同期接続ダイナミックランダムアクセスメモリ（ ｓｙｎｃｈ ｌｉｎｋ ＤＲＡＭ、ＳＬＤＲＡＭ ）、及びダイレクトメモリバスランダムアクセスメモリ（ Ｄｉｒｅｃｔ Ｒａｍｂｕｓ ＲＡＭ、ＤＲ ＲＡＭ )等であってもよいことが理解されるべきである。すなわち、本願の実施例におけるメモリは、これら及び任意の他の適切なタイプのメモリを含むことを意図しているが、これらに限定されない。
【０１３３】
本願の実施例は、コンピュータプログラムを記憶するためのコンピュータ可読記憶媒体をさらに提供する。
【０１３４】
任意選択で、コンピュータ可読記憶媒体は、本願の実施例におけるネットワークデバイスに適用されてもよく、コンピュータプログラムは、コンピュータに、本願の実施例の各方法においてネットワークデバイスによって実施される対応するフローを実行させ、簡潔にするために、ここでは詳しい説明を省略する。
【０１３５】
任意選択で、コンピュータ読み取り可能な記憶媒体は、本願の実施例における移動端末/端末デバイスに適用されてもよく、コンピュータプログラムは、コンピュータに、本願の実施例の各方法における移動端末/端末デバイスによって実現される対応するフローを実行させるが、簡潔にするために、ここでは詳しい説明は省略する。
【０１３６】
本願の実施例は、コンピュータプログラム命令を含むコンピュータプログラム製品をさらに提供する。
【０１３７】
任意選択で、コンピュータプログラム製品は、本願の実施例におけるネットワークデバイスに適用されてもよく、コンピュータプログラム命令は、コンピュータに、本願の実施例の各方法においてネットワークデバイスによって実施される対応するフローを実行させ、簡潔にするために、ここでは詳しい説明は省略する。
【０１３８】
任意選択で、コンピュータプログラム製品は、本願の実施例における移動端末/端末デバイスに適用されてもよく、コンピュータプログラム命令は、コンピュータに、本願の実施例の各方法における移動端末/端末デバイスによって実施される対応するフローを実行させ、簡潔にするために、ここでは説明を省略する。
【０１３９】
本願の実施例は、コンピュータプログラムをさらに提供する。
【０１４０】
任意選択的に、コンピュータプログラムは、本願の実施例におけるネットワークデバイスに適用されてもよく、コンピュータプログラムがコンピュータ上で実行される場合、コンピュータに、本願の実施例の各方法においてネットワークデバイスによって実現される対応するフローを実行させ、簡潔にするために、ここでは説明を省略する。
【０１４１】
任意選択で、コンピュータプログラムは、本願の実施例における移動端末／端末デバイスに適用されてもよく、コンピュータプログラムがコンピュータ上で実行される場合、コンピュータに、本願の実施例の各方法において移動端末／端末デバイスによって実現される対応するフローを実行させ、簡潔にするために、ここでは説明を省略する。
【０１４２】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本願の範囲から逸脱するものと考えられるべきではない。
【０１４３】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１４４】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１４５】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１４６】
また、本願の各実施例における各機能部は、１つの処理部に集積されてもよいし、各部は、物理的に別個に存在してもよいし、２つ以上の部が１つの部に集積されてもよい。
【０１４７】
また、ソフトウェア的な機能単位で実現され、独立した製品として販売又は使用される場合には、コンピュータ読み取り可能な記録媒体に格納されてもよい。このような理解に基づいて、本願の技術的解決策の本質または従来技術に寄与する部分、または本願の技術的解決策の部分は、１つのコンピュータデバイス(パーソナルコンピュータ、サーバ、またはネットワークデバイスなどであり得る)に本願の様々な実施例に記載された方法のステップの全てまたは一部を実行させるための複数の命令を含む１つの記憶媒体に記憶されたソフトウェア製品の形態で具現化され得る。なお、前記記憶媒体としては、U字ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１４８】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲によって定義されるべきである。
【図１】
2021532619.tif 000003
【図２】
2021532619.tif 000004
【図３】
2021532619.tif 000005
【図４】
2021532619.tif 000006
【図５】
2021532619.tif 000007
【図６】
2021532619.tif 000008
【図７】
2021532619.tif 000009
【図８】
2021532619.tif 000010
【図９】
2021532619.tif 000011
【手続補正書】
【提出日】令和3年5月24日(2021.5.24)
【手続補正１】
【補正対象書類名】明細書
【補正対象項目名】全文
【補正方法】変更
【補正の内容】
【発明の詳細な説明】
【技術分野】
【０００１】
本願は、無線通信技術分野に関し、特に、シグナリング伝送方法、装置及びネットワークデバイスに関する。
【背景技術】
【０００２】
新しいラジオ(ＮＲ、Ｎｅｗ Ｒａｄｉｏ )システムにおいて、第３世代パートナーシッププロジェクト( ３ ＧＰＰ、３ ｒｄ Ｇｅｎｅｒａｔｉｏｎ Ｐａｒｔｎｅｒｓｈｉｐ Ｐｒｏｊｅｃｔ )の研究課題の１つは、無線中継であり、具体的には、中継ノード( ＲＮ、Ｒｅｌａｙ Ｎｏｄｅ )は、無線方式で、Ｄｏｎｏｒとも呼ばれる帰属されるアンカー基地局に接続され、端末は、Ｄｏｎｏｒに直接接続されてもよいし、１つ以上の中継ノードを介してＤｏｎｏｒに間接的に接続されてもよい。ＮＲは、無線中継に対して、１ )固定ノードから中継ノードへのマルチホップ伝送のサポートを要求すること、２ )固定ノードから中継ノードへの冗長経路伝送のサポートを要求すること、３ )中継ノードから固定ノードへのバックボーン経路の自動設定を要求すること、の要求を有する。
【０００３】
無線中継アーキテクチャは、ユーザー端末( ＵＥ、Ｕｓｅｒ Ｅｑｕｉｐｍｅｎｔ )から基地局への従来のシングルホップインタフェースとは異なり、送信側(例えば、Ｄｏｎｏｒ／ＵＥ )から１つのパケットデータコンバージェンスプロトコル( ＰＤＣＰ、Ｐａｃｋｅｔ Ｄａｔａ Ｃｏｎｖｅｒｇｅｎｃｅ Ｐｒｏｔｏｃｏｌ )プロトコルデータユニット( ＰＤＵ、Ｐｒｏｔｏｃｏｌ Ｄａｔａ Ｕｎｉｔ )データパケットが送信される場合、このデータパケットが次のホップネットワークノードに正しく送信されても、実際に、受信側(例えば、ＵＥ／Ｄｏｎｏｒ )によって正しく受信されない可能性がある。従来のＵＥから基地局へのシングルホップインタフェースでは、ＰＤＣＰ層は、無線リンク制御( ＲＬＣ、Ｒａｄｉｏ Ｌｉｎｋ Ｃｏｎｔｒｏｌ )層上のパケット正確な受信ステータス情報( ＡＲＱ ｓｔａｔｕｓ ｒｅｐｏｒｔ )を通してＲＬＣ伝送ステータスを知り、対応するデータ復元( ｄａｔａ ｒｅｃｏｖｅｒｙ )および再構築( ｒｅｅｓｔａｂｌｉｓｈｍｅｎｔ )プロセスをトリガーする。上述したように、中継ネットワークアーキテクチャにおいて、このＲＬＣ伝送ステータスがＰＤＣＰ層によって正しく知ることができない場合、ｄａｔａ ｒｅｃｏｖｅｒｙプロセス及びｒｅｅｓｔａｂｌｉｓｈｍｅｎｔプロセスの実現に影響を与える。
【０００４】
また、ＰＤＣＰ破棄（ ＰＤＣＰ ｄｉｓｃａｒｄ )について、現在の従来のＵＥから基地局へのシングルホップインタフェースでは、ＰＤＣＰ層は、ＲＬＣ層にパケット破棄を直接に指示することができるが、無線中継アーキテクチャでは、ＰＤＣＰ層及びＲＬＣ層は、異なるネットワークノードに位置し、それらの間に１つのアダプテーション層( Ａｄａｐｔ )があり、どのように層間のインタラクションを実現するかに関して解決が必要である。
【発明の概要】
【０００５】
本願の実施例は、上記の課題を解決するために、シグナリング伝送方法、装置及びネットワークデバイスを提供する。
【０００６】
本願の実施例におけるシグナリング伝送方法は、
第１のネットワークノードが第２のネットワークノードに第１のシグナリングを送信することを含み、前記第１のシグナリングが第１のプロトコル層と第２のプロトコル層との層間シグナリングであり、前記第１のプロトコル層と前記第２のプロトコル層とが異なるネットワークノードに位置する。
【０００７】
ある実施例において、前記第１のネットワークノードが第１の中継ノードであり、前記第２のネットワークノードがアンカー基地局であり、又は、
前記第１のネットワークノードがアンカー基地局であり、前記第２のネットワークノードが第１の中継ノードであり、又は、
前記第１のネットワークノードが第１の中継ノードであり、前記第２のネットワークノードが第２の中継ノードである。
【０００８】
ある実施例において、前記第１の中継ノードが端末にサービスする中継ノードであり、又は、前記第２の中継ノードが端末にサービスする中継ノードである。
【０００９】
ある実施例において、前記第１の中継ノードが端末にサービスする中継ノードであり、前記第２の中継ノードが前記アンカー基地局に直接接続される中継ノードであり、又は、前記第２の中継ノードが端末にサービスする中継ノードであり、前記第１の中継ノードが前記アンカー基地局に直接接続される中継ノードである。
【００１０】
ある実施例において、前記第１の中継ノードが端末にサービスするソース中継ノードであり、前記第２の中継ノードが端末にサービスする目標中継ノードであり、又は、前記第２の中継ノードが端末にサービスするソース中継ノードであり、前記第１の中継ノードが端末にサービスする目標中継ノードである。
【００１１】
ある実施例において、前記第１のシグナリングは、ＲＬＣ層のデータ伝送情報を含み、ある例において、前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報、
ベアラタイプ情報、
論理チャネル識別情報のうちの少なくとも１つを含む。
【００１２】
ある実施例において、前記第１のシグナリングはＰＤＣＰデータパケットを破棄するように指示する制御命令を含み、ある例において、前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む。
【００１３】
ある実施例において、前記第１のシグナリングがアダプテーション層で伝送され、又は、
前記第１のシグナリングがＦ１ＡＰアプリケーションプロトコルで伝送される。
【００１４】
本願の実施例におけるシグナリング伝送方法は、
第２のネットワークノードが第１のネットワークノードにより送信された第１のシグナリングを受信することを含み、前記第１のシグナリングが第１のプロトコル層と第２のプロトコル層との層間シグナリングであり、前記第１のプロトコル層と前記第２のプロトコル層とが異なるネットワークノードに位置する。
【００１５】
ある実施例において、前記第１のネットワークノードが第１の中継ノードであり、前記第２のネットワークノードがアンカー基地局であり、又は、
前記第１のネットワークノードがアンカー基地局であり、前記第２のネットワークノードが第１の中継ノードであり、又は、
前記第１のネットワークノードが第１の中継ノードであり、前記第２のネットワークノードが第２の中継ノードである。
【００１６】
ある実施例において、前記第１の中継ノードが端末にサービスする中継ノードであり、又は、前記第２の中継ノードが端末にサービスする中継ノードである。
【００１７】
ある実施例において、前記第１の中継ノードが端末にサービスする中継ノードであり、前記第２の中継ノードが前記アンカー基地局に直接接続される中継ノードであり、又は、前記第２の中継ノードが端末にサービスする中継ノードであり、前記第１の中継ノードが前記アンカー基地局に直接接続される中継ノードである。
【００１８】
ある実施例において、前記第１の中継ノードが端末にサービスするソース中継ノードであり、前記第２の中継ノードが端末にサービスする目標中継ノードであり、又は、前記第２の中継ノードが端末にサービスするソース中継ノードであり、前記第１の中継ノードが端末にサービスする目標中継ノードである。
【００１９】
ある実施例において、前記第１のシグナリングは、ＲＬＣ層のデータ伝送情報を含み、ある例において、前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報、
ベアラタイプ情報、
論理チャネル識別情報のうちの少なくとも１つを含む。
【００２０】
ある実施例において、前記第１のシグナリングはＰＤＣＰデータパケットを破棄するように指示する制御命令を含み、ある例において、前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む。
【００２１】
ある実施例において、前記第１のシグナリングがアダプテーション層で伝送され、又は、
前記第１のシグナリングがＦ１ＡＰで伝送される。
【００２２】
本願の実施例におけるシグナリング伝送装置は、第１のネットワークノードに応用され、前記装置は、送信ユニットを含み、
送信ユニットは、第２のネットワークノードに第１のシグナリングを送信するように構成され、前記第１のシグナリングが第１のプロトコル層と第２のプロトコル層との層間シグナリングであり、前記第１のプロトコル層と前記第２のプロトコル層とが異なるネットワークノードに位置する。
【００２３】
ある実施例において、前記第１のネットワークノードが第１の中継ノードであり、前記第２のネットワークノードがアンカー基地局であり、又は、
前記第１のネットワークノードがアンカー基地局であり、前記第２のネットワークノードが第１の中継ノードであり、又は、
前記第１のネットワークノードが第１の中継ノードであり、前記第２のネットワークノードが第２の中継ノードである。
【００２４】
ある実施例において、前記第１の中継ノードが端末にサービスする中継ノードであり、又は、前記第２の中継ノードが端末にサービスする中継ノードである。
【００２５】
ある実施例において、前記第１の中継ノードが端末にサービスする中継ノードであり、前記第２の中継ノードが前記アンカー基地局に直接接続される中継ノードであり、又は、前記第２の中継ノードが端末にサービスする中継ノードであり、前記第１の中継ノードが前記アンカー基地局に直接接続される中継ノードである。
【００２６】
ある実施例において、前記第１の中継ノードが端末にサービスするソース中継ノードであり、前記第２の中継ノードが端末にサービスする目標中継ノードであり、又は、前記第２の中継ノードが端末にサービスするソース中継ノードであり、前記第１の中継ノードが端末にサービスする目標中継ノードである。
【００２７】
ある実施例において、前記第１のシグナリングは、ＲＬＣ層のデータ伝送情報を含み、ある例において、前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報、
ベアラタイプ情報、
論理チャネル識別情報のうちの少なくとも１つを含む。
【００２８】
ある実施例において、前記第１のシグナリングはＰＤＣＰデータパケットを破棄するように指示する制御命令を含み、ある例において、前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む。
【００２９】
ある実施例において、前記第１のシグナリングがアダプテーション層で伝送され、又は、
前記第１のシグナリングがＦ１ＡＰアプリケーションプロトコルで伝送される。
【００３０】
本願の実施例におけるシグナリング伝送装置は、第２のネットワークノードに応用され、前記装置は、受信ユニットを含み、
受信ユニットは、第１のネットワークノードにより送信された第１のシグナリングを受信するように構成され、前記第１のシグナリングが第１のプロトコル層と第２のプロトコル層との層間シグナリングであり、前記第１のプロトコル層と前記第２のプロトコル層とが異なるネットワークノードに位置する。
【００３１】
ある実施例において、前記第１のネットワークノードが第１の中継ノードであり、前記第２のネットワークノードがアンカー基地局であり、又は、
前記第１のネットワークノードがアンカー基地局であり、前記第２のネットワークノードが第１の中継ノードであり、又は、
前記第１のネットワークノードが第１の中継ノードであり、前記第２のネットワークノードが第２の中継ノードである。
【００３２】
ある実施例において、前記第１の中継ノードが端末にサービスする中継ノードであり、又は、前記第２の中継ノードが端末にサービスする中継ノードである。
【００３３】
ある実施例において、前記第１の中継ノードが端末にサービスする中継ノードであり、前記第２の中継ノードが前記アンカー基地局に直接接続される中継ノードであり、又は、前記第２の中継ノードが端末にサービスする中継ノードであり、前記第１の中継ノードが前記アンカー基地局に直接接続される中継ノードである。
【００３４】
ある実施例において、前記第１の中継ノードが端末にサービスするソース中継ノードであり、前記第２の中継ノードが端末にサービスする目標中継ノードであり、又は、前記第２の中継ノードが端末にサービスするソース中継ノードであり、前記第１の中継ノードが端末にサービスする目標中継ノードである。
【００３５】
ある実施例において、前記第１のシグナリングは、ＲＬＣ層のデータ伝送情報を含み、ある例において、前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報、
ベアラタイプ情報、
論理チャネル識別情報のうちの少なくとも１つを含む。
【００３６】
ある実施例において、前記第１のシグナリングはＰＤＣＰデータパケットを破棄するように指示する制御命令を含み、ある例において、前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む。
【００３７】
ある実施例において、前記第１のシグナリングがアダプテーション層で伝送され、又は、
前記第１のシグナリングがＦ１ＡＰで伝送される。
【００３８】
本願の実施例におけるネットワークデバイスは、コンピュータプログラムを格納するメモリと、前記メモリに格納された前記コンピュータプログラムを呼び出して実行することにより、前記いずれかに記載のシグナリング伝送方法を実行するプロセッサとを備える。
【００３９】
本願の実施例のチップは、コンピュータプログラムをメモリから呼び出して実行し、チップを搭載する装置に前記シグナリング伝送方法のいずれかを実行させるプロセッサを備える。
【００４０】
本願の実施例は、上述のいずれかに記載のシグナリング伝送方法をコンピュータに実行させるコンピュータプログラムを記憶するためのコンピュータ可読記憶媒体を提供する。
【００４１】
本願の実施例は、上述のいずれかに記載のシグナリング伝送方法をコンピュータに実行させるコンピュータプログラム命令を含むコンピュータプログラム製品を提供する。
【００４２】
本願の実施例は、上述のいずれかに記載のシグナリング伝送方法をコンピュータに実行させるコンピュータプログラムを提供する。
【００４３】
本願の実施例の技術案では、設計された第１シグナリングにより、中継ノードとの中継ノードとのＲＬＣ層とＰＤＣＰ層との間のインタラクション、または、中継ノードとのアンカー基地局とのＲＬＣ層とＰＤＣＰ層との間インタラクションを実現し、ＰＤＣＰ層がＲＬＣ層の伝送状態を正しく知ることができ、ＰＤＣＰ層がＲＬＣ層にパケット破棄を指示することもできる。
【図面の簡単な説明】
【００４４】
本明細書で説明する図面は、本願のさらなる理解を提供するために提供され、本願の一部を構成し、本願の例示的な実施例およびその説明は、本願を説明するために使用され、本願を限定するようには構成されない。
【図１】本願の実施例に応用される通信システムの模式図である。
【図２】無線中継アーキテクチャのプロトコル実装の模式図である。
【図３】本願の実施例におけるシグナリング伝送方法のフローチャート一である。
【図４】本願の実施例におけるシグナリング伝送方法のフローチャート二である。
【図５】本願の実施例におけるシグナリング伝送装置の構成図一である。
【図６】本願の実施例におけるシグナリング伝送装置の構成図二である。
【図７】本願の実施例におけるネットワークデバイスの構成図である。
【図８】本願の実施例におけるチップのの構成図である。
【図９】本願の実施例における通信システムのブロック図である。
【発明を実施するための形態】
【００４５】
以下、本願の実施例について図面を参照して説明するが、本願は、この実施例に限定されるものではなく、本願の技術的思想に基づく各種の変形が可能である。本願における実施例に基づいて、当業者が創造的な労働をすることなく得られる全ての他の実施例は、本願の保護範囲に属する。
【００４６】
本願の実施例の技術的思想は、例えば、全地球移動通信( Ｇｌｏｂａｌ Ｓｙｓｔｅｍ ｏｆ Ｍｏｂｉｌｅ Ｃｏｍｍｕｎｉｃａｔｉｏｎ、ＧＳＭ )システム、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システム、汎用パケット無線サービス( Ｇｅｎｅｒａｌ Ｐａｃｋｅｔ Ｒａｄｉｏ Ｓｅｒｖｉｃｅ、ＧＰＲＳ )、ロングタームエボリューション( Ｌｏｎｇ Ｔｅｒｍ Ｅｖｏｌｕｔｉｏｎ、ＬＴＥ )システム、LTE周波数分割複信( Ｆｒｅｑｕｅｎｃｙ Ｄｉｖｉｓｉｏｎ Ｄｕｐｌｅｘ、ＦＤＤ )システム、LTE時分割複信( Ｔｉｍｅ  Ｄｉｖｉｓｉｏｎ  Ｄｕｐｌｅｘ、ＴＤＤ ）、汎用移動通信システム（ Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、全地球相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、ＷｉＭＡＸ )通信システム、又は５Ｇシステム等の様々な通信システムに適用可能である。
【００４７】
例とし、本願の実施例が応用される通信システム１００は、例えば図１に示すようなものである。ＲＮは、その帰属するアンカー基地局( Ｄｏｎｏｒ )と無線で接続され、この通信システムには、３つの無線リンクが含み、
１. ＲＮとＤｏｎｏｒとの間のバックホールリンク( Ｂａｃｋｈａｕｌ ｌｉｎｋ )、
２. ＵＥとＲＮとの間のアクセスリンク( Ａｃｃｅｓｓ ｌｉｎｋ )、
３. ＵＥとＤｏｎｏｒとの間の直接リンク( Ｄｉｒｅｃｔ ｌｉｎｋ )。
【００４８】
図１は、１つのＲＮを例示的に示し、ＵＥは、任意で、複数のＲＮを介してＤｏｎｏｒと間接的に接続されてもよく、本願実施例はこれに限定されない。
【００４９】
任意選択で、通信システム１００は、ネットワークコントローラ、モビリティ管理エンティティなどの他のネットワークエンティティをさらに含むことができ、本願の実施例はこれに限定されない。
【００５０】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００５１】
図２は、無線中継アーキテクチャのプロトコル実現方式の１つであり、図２に示すように、最も左側がＵＥ側のプロトコルであり、最も右側がＤｏｎｏｒ側のプロトコルであり、中間の部分が中継ノードのプロトコルであり、図２は、２つの中継ノードのプロトコルを示し、これに限定されず、ＵＥとＤｏｎｏｒは、他の数の中継ノードを有してもよい。無線中継アーキテクチャのプロトコルでは、ＵＥ及びＤｏｎｏｒは、ＰＤＣＰ層上でエンドツーエンド通信を実装し、ＲＬＣ層上でポイントツーポイント通信を実装する。さらに、１つのアダプテーション層( Ａｄａｐｔａｔｉｏｎ ｌａｙｅｒ )を用いてマルチホップルーティング転送機能を実現する。無線中継アーキテクチャの下で、ＰＤＣＰ層及びＲＬＣ層は、１つのアダプテーション層を隔たって、異なるネットワークノードに位置し、本願の実施例は、ＰＤＣＰ層とＲＬＣ層との間のインタラクション問題を解決する。
【００５２】
図３は本願の実施例におけるシグナリング伝送方法のフローチャート一であり、図３に示すように、前記シグナリング伝送方法は、以下のステップを含み、
ステップ３０１において、第１のネットワークノードが第２のネットワークノードに第１のシグナリングを送信し、前記第１のシグナリングが第１のプロトコル層と第２のプロトコル層との層間シグナリングであり、前記第１のプロトコル層と前記第２のプロトコル層とが異なるネットワークノードに位置する。
【００５３】
本願の実施例において、第１のシグナリングは、中継ノードと中継ノードとの間に応用されても良いし、中継ノードとアンカー基地局との間に応用されても良く、ここで、中継ノードが通常のＩＡＢ−ｎｏｄｅであり、アンカー基地局がＩＡＢ−ｄｏｎｏｒであっても良い。具体的に、以下のケースを有する。
【００５４】
１）前記第１のネットワークノードが第１の中継ノードであり、前記第２のネットワークノードがアンカー基地局であり、例えば、前記第１のネットワークノードが第１のＩＡＢ−ｎｏｄｅであり、前記第２のネットワークノードがＩＡＢ−ｄｏｎｏｒである。
【００５５】
２）前記第１のネットワークノードがアンカー基地局であり、前記第２のネットワークノードが第１の中継ノードであり、例えば、前記第１のネットワークノードがＩＡＢ−ｄｏｎｏｒであり、前記第２のネットワークノードが第１のＩＡＢ−ｎｏｄｅである。
【００５６】
３）前記第１のネットワークノードが第１の中継ノードであり、前記第２のネットワークノードが第２の中継ノードであり、例えば、前記第１のネットワークノードが第１のＩＡＢ−ｎｏｄｅであり、前記第２のネットワークノードが第２のＩＡＢ−ｎｏｄｅである。また、例えば、前記第１のネットワークノードが第２のＩＡＢ−ｎｏｄｅであり、前記第２のネットワークノードが第１のＩＡＢ−ｎｏｄｅである。
【００５７】
ある実施例において、前記第１の中継ノードが端末にサービスする中継ノードであり、又は、前記第２の中継ノードが端末にサービスする中継ノードである。
【００５８】
ある実施例において、前記第１の中継ノードが端末にサービスする中継ノードであり、前記第２の中継ノードが前記アンカー基地局に直接接続される中継ノードであり、又は、前記第２の中継ノードが端末にサービスする中継ノードであり、前記第１の中継ノードが前記アンカー基地局に直接接続される中継ノードである。
【００５９】
ある実施例において、前記第１の中継ノードが端末にサービスするソース中継ノードであり、前記第２の中継ノードが端末にサービスする目標中継ノードであり、又は、前記第２の中継ノードが端末にサービスするソース中継ノードであり、前記第１の中継ノードが端末にサービスする目標中継ノードである。
【００６０】
本願のある実施例において、前記第１のシグナリングは、ＲＬＣ層のデータ伝送情報を含み（ＲＬＣ層データ送信状況を示す）、前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報（ｂｅａｒｅｒ ＩＤ）、
ベアラタイプ情報、
論理チャネル識別情報（ＬＣＩＤ）のうちの少なくとも１つを含むのうちの少なくとも１つを含む。
【００６１】
ここで、ベアラタイプは、データベアラ（ＤＲＢ）又はシグナリングベアラ（ＳＲＢ）であっても良い。
【００６２】
ここで、ＲＬＣ層のデータ伝送情報は、異なるネットワークノードの間のＲＬＣ層からＰＤＣＰ層に報告される。
【００６３】
本願のある実施例において、前記第１のシグナリングはＰＤＣＰデータパケットを破棄するように指示する制御命令を含み、例として、前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む。
【００６４】
ここで、ＰＤＣＰデータパケットを破棄するように指示する制御命令は、異なるネットワークノードの間のＰＤＣＰ層からＲＬＣ層に送信される。
【００６５】
本願の実施例において、前記第１のシグナリングは、以下の方式で伝送される。
【００６６】
１）第１のシグナリングを介してアダプテーション層で伝送され、又は、２）前記第１のシグナリングがＦ１ＡＰで伝送される。
【００６７】
図４は本願の実施例におけるシグナリング伝送方法のフローチャート二であり、図４に示すように、前記シグナリング伝送方法は、以下のステップを含み、
ステップ４０１において、第２のネットワークノードが第１のネットワークノードにより送信された第１のシグナリングを受信し、前記第１のシグナリングが第１のプロトコル層と第２のプロトコル層との層間シグナリングであり、前記第１のプロトコル層と前記第２のプロトコル層とが異なるネットワークノードに位置する。
【００６８】
本願の実施例において、第１のシグナリングは、中継ノードと中継ノードとの間に応用されても良いし、中継ノードとアンカー基地局との間に応用されても良く、ここで、中継ノードが通常のＩＡＢ−ｎｏｄｅであり、アンカー基地局がＩＡＢ−ｄｏｎｏｒであっても良い。具体的に、以下のケースを有する。
【００６９】
１）前記第１のネットワークノードが第１の中継ノードであり、前記第２のネットワークノードがアンカー基地局であり、例えば、前記第１のネットワークノードが第１のＩＡＢ−ｎｏｄｅであり、前記第２のネットワークノードがＩＡＢ−ｄｏｎｏｒである。
【００７０】
２）前記第１のネットワークノードがアンカー基地局であり、前記第２のネットワークノードが第１の中継ノードであり、例えば、前記第１のネットワークノードがＩＡＢ−ｄｏｎｏｒであり、前記第２のネットワークノードが第１のＩＡＢ−ｎｏｄｅである。
【００７１】
３）前記第１のネットワークノードが第１の中継ノードであり、前記第２のネットワークノードが第２の中継ノードであり、例えば、前記第１のネットワークノードが第１のＩＡＢ−ｎｏｄｅであり、前記第２のネットワークノードが第２のＩＡＢ−ｎｏｄｅである。また、例えば、前記第１のネットワークノードが第２のＩＡＢ−ｎｏｄｅであり、前記第２のネットワークノードが第１のＩＡＢ−ｎｏｄｅである。
【００７２】
ある実施例において、前記第１の中継ノードが端末にサービスする中継ノードであり、又は、前記第２の中継ノードが端末にサービスする中継ノードである。
【００７３】
ある実施例において、前記第１の中継ノードが端末にサービスする中継ノードであり、前記第２の中継ノードが前記アンカー基地局に直接接続される中継ノードであり、又は、前記第２の中継ノードが端末にサービスする中継ノードであり、前記第１の中継ノードが前記アンカー基地局に直接接続される中継ノードである。
【００７４】
ある実施例において、前記第１の中継ノードが端末にサービスするソース中継ノードであり、前記第２の中継ノードが端末にサービスする目標中継ノードであり、又は、前記第２の中継ノードが端末にサービスするソース中継ノードであり、前記第１の中継ノードが端末にサービスする目標中継ノードである。
【００７５】
本願の実施例において、前記第１のシグナリングは、ＲＬＣ層のデータ伝送情報を含み（ＲＬＣ層データ送信状況を示す）、前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報（ｂｅａｒｅｒ ＩＤ）、
ベアラタイプ情報、
論理チャネル識別情報（ＬＣＩＤ）のうちの少なくとも１つを含む。
【００７６】
ここで、ベアラタイプは、データベアラ（ＤＲＢ）又はシグナリングベアラ（ＳＲＢ）である。
【００７７】
ここで、ＲＬＣ層のデータ伝送情報は、異なるネットワークノードの間のＲＬＣ層からＰＤＣＰ層に報告される。
【００７８】
本願のある実施例において、前記第１のシグナリングはＰＤＣＰデータパケットを破棄するように指示する制御命令を含み、ある例において、前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む。
【００７９】
ここで、ＰＤＣＰデータパケットを破棄するように指示する制御命令は、ネットワークノードの間のＰＤＣＰ層によりＲＬＣ層に送信される。
【００８０】
本願の実施例において、前記第１のシグナリングは、以下の方式伝送される。
【００８１】
１）第１のシグナリングを介してアダプテーション層で伝送され、又は、２）前記第１のシグナリングがＦ１ＡＰで伝送される。
【００８２】
以下、具体的な応用例を利用して本願の実施例による技術案を説明する。
【００８３】
応用例一：上り伝送に対して、ＲＬＣ層は、第１のシグナリングを介してＰＤＣＰ層にＲＬＣ層のデータ伝送情報を報告し、
１）ＵＥがＰＤＣＰ ＰＤＵをＵＥのＲＬＣ層に送信し、ＲＬＣ層で処理された後、前記ＵＥにサービスするＩＡＢ−ｎｏｄｅに送信する。
【００８４】
２) ＩＡＢ−ｎｏｄｅは、このＲＬＣ ＳＤＵ／ＰＤＣＰ ＰＤＵ (および他のＲＬＣ ＳＤＵ／ＰＤＣＰ ＰＤＵ )によって生成されたＲＬＣ ＰＤＵを正しく受信するが、ＡＣＫをすぐにフィードバックしなく、ＲＬＣ ＳＤＵ／ＰＤＣＰ ＰＤＵをさらに上位のＩＡＢ−ｎｏｄｅ／ＩＡＢ−ｄｏｎｏｒに送信する。
【００８５】
３) ＩＡＢ−ｄｏｎｏｒがこのＰＤＣＰ ＰＤＵ／ＲＬＣ ＳＤＵを正しく受信した後、
-ＩＡＢ−ｄｏｎｏｒにより、ＵＥにサービスするＩＡＢ−ｎｏｄｅにシグナリングを送信し、ＲＬＣ層のデータ伝送情報をフィードバックし、または、
-ＩＡＢ−ｄｏｎｏｒに直接接続されたＩＡＢ−ｎｏｄｅによって、ＵＥにサービスするＩＡＢ−ｎｏｄｅにシグナリングを送信し、ＲＬＣ層のデータ送信情報をフィードバックし、
前記シグナリングがＦ１ＡＰ又はアダプテーション層で伝送される。
【００８６】
４) ＵＥにサービスするＩＡＢ−ｎｏｄｅは、ＲＬＣ ＰＤＵに対応するＲＬＣ ＳＤＵ／ＰＤＣＰ ＰＤＵをすべて含むシグナリングを受信し、ＡＣＫをＵＥにフィードバックする。
【００８７】
応用例二：下り伝送に対して、ＲＬＣ層は第１のシグナリングを介してＰＤＣＰ層にＲＬＣ層のデータ伝送情報を報告し、
１) ＩＡＢ−ｄｏｎｏｒは、ＩＡＢ−ｄｏｎｏｒのＲＬＣ層にＰＤＣＰ ＰＤＵを送信し、ＲＬＣ層で処理された後、ＩＡＢ−ｄｏｎｏｒに直接接続されたＩＡＢ−ｎｏｄｅに送信する。
【００８８】
２) ＩＡＢ−ｄｏｎｏｒに直接接続されたＩＡＢ−ｎｏｄｅは、ＲＬＣ ＳＤＵ／ＰＤＣＰ ＰＤＵ (および他のＲＬＣ ＳＤＵ／ＤＣＰ ＰＤＵ )によって生成されたＲＬＣ ＰＤＵを正しく受信し、任意選択で、ＡＣＫをすぐにフィードバックしなく、前記ＲＬＣ ＳＤＵ／ＰＤＣＰ ＰＤＵを下位のＩＡＢ−ｎｏｄｅに送る。
【００８９】
３）ＵＥがＰＤＣＰ ＰＤＵ／ＲＬＣ ＳＤＵを正しく受信した後、
-前記ＵＥにサービスするＩＡＢ−ｎｏｄｅによって、ＩＡＢ−ｄｏｎｏｒにシグナリングを送信し、ＲＬＣ送信状況をフィードバックし、または、
-ＵＥをサービスするＩＡＢ−ｎｏｄｅによって、ＩＡＢ−ｄｏｎｏｒに直接接続されたＩＡＢ−ｎｏｄｅにシグナリングを送信し、ＲＬＣ送信状況をフィードバックし、その後、ＩＡＢ−ｄｏｎｏｒに直接接続されたＩＡＢ−ｎｏｄｅは、ＩＡＢ−ｄｏｎｏｒにシグナリングを送信し、ＡＣＫをフィードバックする。
【００９０】
前記シグナリングは、Ｆ１ＡＰ又はアダプテーション層で伝送される。
【００９１】
応用例３：下り伝送に対して、ＰＤＣＰ層は、第１シグナリングを介して、ＲＬＣ層がＰＤＣＰデータパケットを破棄するよう指示する
１）ＩＡＢ−ｄｏｎｏｒがＰＤＣＰ ＰＤＵをＩＡＢ−ｄｏｎｏｒのＲＬＣ層に送信する。
【００９２】
任意選択で、ＲＬＣ処理されてＩＡＢ−ｄｏｎｏｒに直接接続されるＩＡＢ−ｎｏｄｅに送信される。
【００９３】
２) ＩＡＢ−ｄｏｎｏｒのｄｉｓｃａｒｄ ｔｉｍｅｒがタイムアウトし、前記ｄｉｓｃａｒｄ命令を、目標ＵＥ伝送データの少なくとも１つのＩＡＢ−ｎｏｄｅに送信する。
【００９４】
３) ＩＡＢ−ｎｏｄｅが前記ｄｉｓｃａｒｄ命令を受信した場合、下位層にデータが送信されていない場合、データは破棄される。
【００９５】
図５は本願の実施例におけるシグナリング伝送装置の構成図一であり、第１のネットワークノードに応用され、図５に示すように、前記シグナリング伝送装置は、送信ユニット５０１を含み、
送信ユニット５０１は、第２のネットワークノードに第１のシグナリングを送信するように構成され、前記第１のシグナリングが第１のプロトコル層と第２のプロトコル層との層間シグナリングであり、前記第１のプロトコル層と前記第２のプロトコル層とが異なるネットワークノードに位置する。
【００９６】
ある実施例において、前記第１のネットワークノードが第１の中継ノードであり、前記第２のネットワークノードがアンカー基地局であり、又は、
前記第１のネットワークノードがアンカー基地局であり、前記第２のネットワークノードが第１の中継ノードであり、又は、
前記第１のネットワークノードが第１の中継ノードであり、前記第２のネットワークノードが第２の中継ノードである。
【００９７】
ある実施例において、前記第１の中継ノードが端末にサービスする中継ノードであり、又は、前記第２の中継ノードが端末にサービスする中継ノードである。
【００９８】
ある実施例において、前記第１の中継ノードが端末にサービスする中継ノードであり、前記第２の中継ノードが前記アンカー基地局に直接接続される中継ノードであり、又は、前記第２の中継ノードが端末にサービスする中継ノードであり、前記第１の中継ノードが前記アンカー基地局に直接接続される中継ノードである。
【００９９】
ある実施例において、前記第１の中継ノードが端末にサービスするソース中継ノードであり、前記第２の中継ノードが端末にサービスする目標中継ノードであり、又は、前記第２の中継ノードが端末にサービスするソース中継ノードであり、前記第１の中継ノードが端末にサービスする目標中継ノードである。
【０１００】
ある実施例において、前記第１のシグナリングは、ＲＬＣ層のデータ伝送情報を含み、ある例において、前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報、
ベアラタイプ情報、
論理チャネル識別情報のうちの少なくとも１つを含む。
【０１０１】
ある実施例において、前記第１のシグナリングはＰＤＣＰデータパケットを破棄するように指示する制御命令を含み、ある例において、前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む。
【０１０２】
ある実施例において、前記第１のシグナリングがアダプテーション層で伝送され、又は、
前記第１のシグナリングがＦ１ＡＰアプリケーションプロトコルで伝送される。
【０１０３】
図５に示すシグナリング伝送装置の各ユニットの実現機能は、前述したシグナリング伝送方法の説明を参照すれば理解される。図５に示すシグナリング伝送装置における各ユニットの機能は、プロセッサ上で動作するプログラムによって実現してもよいし、具体的な論理回路によって実現してもよい。
【０１０４】
図６は本願の実施例におけるシグナリング伝送装置の構成図二であり、第２のネットワークノードに応用され、図６に示すように、前記シグナリング伝送装置は、受信ユニット６０１を含み、
受信ユニット６０１は、第１のネットワークノードにより送信された第１のシグナリングを受信するように構成され、前記第１のシグナリングが第１のプロトコル層と第２のプロトコル層との層間シグナリングであり、前記第１のプロトコル層と前記第２のプロトコル層とが異なるネットワークノードに位置する。
【０１０５】
ある実施例において、前記第１のネットワークノードが第１の中継ノードであり、前記第２のネットワークノードがアンカー基地局であり、又は、
前記第１のネットワークノードがアンカー基地局であり、前記第２のネットワークノードが第１の中継ノードであり、又は、
前記第１のネットワークノードが第１の中継ノードであり、前記第２のネットワークノードが第２の中継ノードである。
【０１０６】
ある実施例において、前記第１の中継ノードが端末にサービスする中継ノードであり、又は、前記第２の中継ノードが端末にサービスする中継ノードである。
【０１０７】
ある実施例において、前記第１の中継ノードが端末にサービスする中継ノードであり、前記第２の中継ノードが前記アンカー基地局に直接接続される中継ノードであり、又は、前記第２の中継ノードが端末にサービスする中継ノードであり、前記第１の中継ノードが前記アンカー基地局に直接接続される中継ノードである。
【０１０８】
ある実施例において、前記第１の中継ノードが端末にサービスするソース中継ノードであり、前記第２の中継ノードが端末にサービスする目標中継ノードであり、又は、前記第２の中継ノードが端末にサービスするソース中継ノードであり、前記第１の中継ノードが端末にサービスする目標中継ノードである。
【０１０９】
ある実施例において、前記第１のシグナリングは、ＲＬＣ層のデータ伝送情報を含み、ある例において、前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報、
ベアラタイプ情報、
論理チャネル識別情報のうちの少なくとも１つを含む。
【０１１０】
ある実施例において、前記第１のシグナリングはＰＤＣＰデータパケットを破棄するように指示する制御命令を含み、ある例において、前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む。
【０１１１】
ある実施例において、前記第１のシグナリングがアダプテーション層で伝送され、又は、
前記第１のシグナリングがＦ１ＡＰで伝送される。
【０１１２】
図６に示すシグナリング伝送装置の各ユニットの実現機能は、前述したシグナリング伝送方法の説明を参照すれば理解される。図６に示すシグナリング伝送装置における各ユニットの機能は、プロセッサ上で動作するプログラムによって実現してもよいし、具体的な論理回路によって実現してもよい。
【０１１３】
図７は、本願の実施例によって提供されるネットワークデバイス６００の概略構成図であり、図７に示されるネットワークデバイス６００は、メモリからコンピュータプログラムを呼び出して実行することにより、本願の実施例における方法を実行することができるプロセッサ６１０を含む。
【０１１４】
任意選択で、図７に示されるように、ネットワークデバイス６００は、メモリ６２０をさらに含み得る。プロセッサ６１０は、メモリ６２０からコンピュータプログラムを呼び出して実行することにより、本願の実施例における方法を実施する。
【０１１５】
ここで、メモリ６２０は、プロセッサ６１０とは独立した１つの別個の部品であってもよく、プロセッサ６１０に集積されてもよい。
【０１１６】
任意選択で、図７に示すように、ネットワークデバイス６００は、プロセッサ６１０が他のデバイスと通信するように制御することができる、具体的には、他のデバイスに情報又はデータを送信するか、又は他のデバイスによって送信された情報又はデータを受信することができる、送受信機６３０を更に含むことができる。
【０１１７】
送受信機６３０は、送信機および受信機を含み得る。送受信機６３０は、１つ以上の数のアンテナをさらに含むことができる。
【０１１８】
任意選択で、ネットワークデバイス６００は、特に、本願の実施例のネットワークデバイスであってもよく、ネットワークデバイス６００は、本願の実施例の様々な方法において、ネットワークデバイスにより実施される対応するフローを実施してもよく、簡潔性のために、ここで詳しい説明を省略する。
【０１１９】
任意選択で、ネットワークデバイス６００は、特に、本願の実施例の移動端末/端末デバイスであってもよく、ネットワークデバイス６００は、本願の実施例の様々な方法のうち移動端末/端末デバイスによって実施される対応するフローを実施してもよく、簡潔性のために、ここで詳しい説明を省略する。
【０１２０】
図８は、本願の実施例におけるチップの概略構成図である。図８に示されるチップ７００は、メモリからコンピュータプログラムを呼び出して実行することにより、本願の実施例における方法を実行することができるプロセッサ７１０を含む。
【０１２１】
任意選択で、図８に示すように、チップ７００は、メモリ７２０をさらに含むことができる。プロセッサ７１０は、メモリ７２０からコンピュータプログラムを呼び出して実行することにより、本願の実施例における方法を実現することができる。
【０１２２】
ここで、メモリ７２０は、プロセッサ７１０とは独立した別個の部品であってもよく、プロセッサ７１０に集積されていてもよい。
【０１２３】
任意選択で、チップ７００は、入力インターフェース７３０をさらに含むことができる。プロセッサ７１０は、入力インターフェース７３０を制御して他のデバイスまたはチップと通信してもよく、具体的には、他のデバイスまたはチップによって送信された情報またはデータを取得してもよい。
【０１２４】
任意選択で、チップ７００は、出力インターフェース７４０をさらに含み得る。プロセッサ７１０は、出力インターフェース７４０を制御して、他のデバイス又はチップと通信してもよく、具体的には、他のデバイス又はチップに情報又はデータを出力してもよい。
【０１２５】
任意選択で、チップは、本願の実施例におけるネットワークデバイスに適用されてもよく、チップは、本願の実施例の様々な方法においてネットワークデバイスによって実施される対応するフローを実施してもよく、簡潔にするためにここでは詳しい説明を省略する。
【０１２６】
任意選択で、チップは、本願の実施例における移動端末/端末デバイスに適用されてもよく、チップは、本願の実施例の様々な方法における移動端末/端末デバイスによって実施される対応するフローを実施してもよく、簡潔にするためにここでは詳しい説明を省略する。
【０１２７】
なお、本願の実施例で言及されるチップは、システムチップ、チップシステム、またはシステムオンチップなどと呼ばれることもある。
【０１２８】
図９は、本願の実施例によって提供される通信システム９００の概略的なブロック図である。図９に示すように、通信システム９００は、端末デバイス９１０と、ネットワークデバイス９２０とを有する。
【０１２９】
ここで、該端末デバイス９１０は、上記方法のうち端末デバイスによって実現される対応する機能を実現するために使用され、該ネットワークデバイス９２０は、上記方法のうちネットワークデバイスによって実現される対応する機能を実現するために使用され、簡潔にするために、ここでは詳しい説明を省略する。
【０１３０】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１３１】
本願の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ（ Ｐｒｏｇｒａｍｍａｂｌｅ ＲＯＭ、ＰＲＯＭ ）、消去可能プログラマブルリードオンリーメモリ（ Ｅｒａｓａｂｌｅ ＰＲＯＭ、ＥＰＲＯＭ ）、電気的消去可能プログラマブルリードオンリーメモリ（ Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ（ Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ（ Ｓｙｎｃｈｌｉｎｋ ＤＲＡＭ、ＳＬＤＲＡＭ ）、及びダイレクトメモリバスランダムアクセスメモリ（ Ｄｉｒｅｃｔ Ｒａｍｂｕｓ ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されない。
【０１３２】
上述のメモリは、限定ではなく例示的であるが、例えば、本願の実施例におけるメモリは、スタティックランダムアクセスメモリ( ｓｔａｔｉｃ ＲＡＭ、ＳＲＡＭ )、ダイナミックランダムアクセスメモリ（ ｄｙｎａｍｉｃ ＲＡＭ、ＤRＡM )、同期ダイナミックランダムアクセスメモリ( ｓｙｎｃｈｒｏｎｏｕｓ ＤＲＡＭ、ＳＤＲＡＭ )、デュアルデータレート同期ダイナミックランダム悪せスメモリ( ｄｏｕｂｌｅ ｄａｔａ ｒａｔｅ ＳＤＲＡＭ、ＤＤＲ ＳＤＲＡＭ )、拡張同期ダイナミックランダムあクセスメモリ( ｅｎｈａｎｃｅｄ ＳＤＲＡＭ、ＥＳＤＲＡＭ )、同期接続ダイナミックランダムアクセスメモリ（ ｓｙｎｃｈ ｌｉｎｋ ＤＲＡＭ、ＳＬＤＲＡＭ ）、及びダイレクトメモリバスランダムアクセスメモリ（ Ｄｉｒｅｃｔ Ｒａｍｂｕｓ ＲＡＭ、ＤＲ ＲＡＭ )等であってもよいことが理解されるべきである。すなわち、本願の実施例におけるメモリは、これら及び任意の他の適切なタイプのメモリを含むことを意図しているが、これらに限定されない。
【０１３３】
本願の実施例は、コンピュータプログラムを記憶するためのコンピュータ可読記憶媒体をさらに提供する。
【０１３４】
任意選択で、コンピュータ可読記憶媒体は、本願の実施例におけるネットワークデバイスに適用されてもよく、コンピュータプログラムは、コンピュータに、本願の実施例の各方法においてネットワークデバイスによって実施される対応するフローを実行させ、簡潔にするために、ここでは詳しい説明を省略する。
【０１３５】
任意選択で、コンピュータ読み取り可能な記憶媒体は、本願の実施例における移動端末/端末デバイスに適用されてもよく、コンピュータプログラムは、コンピュータに、本願の実施例の各方法における移動端末/端末デバイスによって実現される対応するフローを実行させるが、簡潔にするために、ここでは詳しい説明は省略する。
【０１３６】
本願の実施例は、コンピュータプログラム命令を含むコンピュータプログラム製品をさらに提供する。
【０１３７】
任意選択で、コンピュータプログラム製品は、本願の実施例におけるネットワークデバイスに適用されてもよく、コンピュータプログラム命令は、コンピュータに、本願の実施例の各方法においてネットワークデバイスによって実施される対応するフローを実行させ、簡潔にするために、ここでは詳しい説明は省略する。
【０１３８】
任意選択で、コンピュータプログラム製品は、本願の実施例における移動端末/端末デバイスに適用されてもよく、コンピュータプログラム命令は、コンピュータに、本願の実施例の各方法における移動端末/端末デバイスによって実施される対応するフローを実行させ、簡潔にするために、ここでは説明を省略する。
【０１３９】
本願の実施例は、コンピュータプログラムをさらに提供する。
【０１４０】
任意選択的に、コンピュータプログラムは、本願の実施例におけるネットワークデバイスに適用されてもよく、コンピュータプログラムがコンピュータ上で実行される場合、コンピュータに、本願の実施例の各方法においてネットワークデバイスによって実現される対応するフローを実行させ、簡潔にするために、ここでは説明を省略する。
【０１４１】
任意選択で、コンピュータプログラムは、本願の実施例における移動端末／端末デバイスに適用されてもよく、コンピュータプログラムがコンピュータ上で実行される場合、コンピュータに、本願の実施例の各方法において移動端末／端末デバイスによって実現される対応するフローを実行させ、簡潔にするために、ここでは説明を省略する。
【０１４２】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本願の範囲から逸脱するものと考えられるべきではない。
【０１４３】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１４４】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１４５】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１４６】
また、本願の各実施例における各機能部は、１つの処理部に集積されてもよいし、各部は、物理的に別個に存在してもよいし、２つ以上の部が１つの部に集積されてもよい。
【０１４７】
また、ソフトウェア的な機能単位で実現され、独立した製品として販売又は使用される場合には、コンピュータ読み取り可能な記録媒体に格納されてもよい。このような理解に基づいて、本願の技術的解決策の本質または従来技術に寄与する部分、または本願の技術的解決策の部分は、１つのコンピュータデバイス(パーソナルコンピュータ、サーバ、またはネットワークデバイスなどであり得る)に本願の様々な実施例に記載された方法のステップの全てまたは一部を実行させるための複数の命令を含む１つの記憶媒体に記憶されたソフトウェア製品の形態で具現化され得る。なお、前記記憶媒体としては、U字ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１４８】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲によって定義されるべきである。
【手続補正２】
【補正対象書類名】特許請求の範囲
【補正対象項目名】全文
【補正方法】変更
【補正の内容】
【特許請求の範囲】
【請求項１】
第１のネットワークノードが第２のネットワークノードに第１のシグナリングを送信することを含み、前記第１のシグナリングが第１のプロトコル層と第２のプロトコル層との層間シグナリングであり、前記第１のプロトコル層と前記第２のプロトコル層とが異なるネットワークノードに位置する
ことを特徴とするシグナリング伝送方法。
【請求項２】
前記第１のネットワークノードが第１の中継ノードであり、前記第２のネットワークノードがアンカー基地局であり、又は、
前記第１のネットワークノードがアンカー基地局であり、前記第２のネットワークノードが第１の中継ノードであり、又は、
前記第１のネットワークノードが第１の中継ノードであり、前記第２のネットワークノードが第２の中継ノードである
ことを特徴とする請求項１に記載のシグナリング伝送方法。
【請求項３】
前記第１の中継ノードが端末にサービスする中継ノードであり、又は、
前記第２の中継ノードが端末にサービスする中継ノードである
ことを特徴とする請求項２に記載のシグナリング伝送方法。
【請求項４】
前記第１の中継ノードが端末にサービスする中継ノードであり、前記第２の中継ノード  が前記アンカー基地局に直接接続される中継ノードであり、又は、
前記第２の中継ノードが端末にサービスする中継ノードであり、前記第１の中継ノードが前記アンカー基地局に直接接続される中継ノードである
ことを特徴とする請求項２又は３に記載のシグナリング伝送方法。
【請求項５】
前記第１の中継ノードが端末にサービスするソース中継ノードであり、前記第２の中継ノードが端末にサービスする目標中継ノードであり、又は、
前記第２の中継ノードが端末にサービスするソース中継ノードであり、前記第１の中継ノードが端末にサービスする目標中継ノードである
ことを特徴とする請求項２に記載のシグナリング伝送方法。
【請求項６】
前記第１のシグナリングは、ＲＬＣ層のデータ伝送情報を含む
ことを特徴とする請求項１〜５のいずれか１項に記載のシグナリング伝送方法。
【請求項７】
前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報、
ベアラタイプ情報、
論理チャネル識別情報のうちの少なくとも１つを含む
ことを特徴とする請求項６に記載のシグナリング伝送方法。
【請求項８】
前記第１のシグナリングは、ＰＤＣＰデータパケットを破棄するように指示する制御命令を含む
ことを特徴とする請求項１〜７のいずれか１項に記載のシグナリング伝送方法。
【請求項９】
前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む
ことを特徴とする請求項８に記載のシグナリング伝送方法。
【請求項１０】
前記第１のシグナリングがアダプテーション層で伝送され、又は、
前記第１のシグナリングがＦ１ＡＰアプリケーションプロトコルで伝送される
ことを特徴とする請求項１〜９のいずれか１項に記載のシグナリング伝送方法。
【請求項１１】
送信ユニットを備え、第１のネットワークノードに応用されるシグナリング伝送装置であって、
前記送信ユニットは、第２のネットワークノードに第１のシグナリングを送信するように構成され、前記第１のシグナリングが第１のプロトコル層と第２のプロトコル層との層間シグナリングであり、前記第１のプロトコル層と前記第２のプロトコル層とが異なるネットワークノードに位置する
ことを特徴とするシグナリング伝送装置。
【請求項１２】
前記第１のネットワークノードが第１の中継ノードであり、前記第２のネットワークノードがアンカー基地局であり、又は、
前記第１のネットワークノードがアンカー基地局であり、前記第２のネットワークノードが第１の中継ノードであり、又は、
前記第１のネットワークノードが第１の中継ノードであり、前記第２のネットワークノードが第２の中継ノードである
ことを特徴とする請求項１１に記載のシグナリング伝送装置。
【請求項１３】
前記第１の中継ノードが端末にサービスする中継ノードであり、又は、
前記第２の中継ノードが端末にサービスする中継ノードである
ことを特徴とする請求項１２に記載のシグナリング伝送装置。
【請求項１４】
前記第１の中継ノードが端末にサービスする中継ノードであり、前記第２の中継ノードが前記アンカー基地局に直接接続される中継ノードであり、又は、
前記第２の中継ノードが端末にサービスする中継ノードであり、前記第１の中継ノードが前記アンカー基地局に直接接続される中継ノードである
ことを特徴とする請求項１２又は１３に記載のシグナリング伝送装置。
【請求項１５】
前記第１の中継ノードが端末にサービスするソース中継ノードであり、前記第２の中継ノードが端末にサービスする目標中継ノードであり、又は、
前記第２の中継ノードが端末にサービスするソース中継ノードであり、前記第１の中継ノードが端末にサービスする目標中継ノードである
ことを特徴とする請求項１２に記載のシグナリング伝送装置。
【請求項１６】
前記第１のシグナリングは、ＲＬＣ層のデータ伝送情報を含む
ことを特徴とする請求項１１〜１５のいずれか１項に記載のシグナリング伝送装置。
【請求項１７】
前記ＲＬＣ層のデータ伝送情報は、
正しく送信されたＰＤＣＰ ＰＤＵのシーケンス番号情報、
正しく受信されたＰＤＣＰ ＰＤＵのシーケンス番号情報、
ベアラ識別情報、
ベアラタイプ情報、
論理チャネル識別情報のうちの少なくとも１つを含む
ことを特徴とする請求項１６に記載のシグナリング伝送装置。
【請求項１８】
前記第１のシグナリングは、ＰＤＣＰデータパケットを破棄するように指示する制御命令を含む
ことを特徴とする請求項１１〜１７のいずれか１項に記載のシグナリング伝送装置。
【請求項１９】
前記制御命令は、
破棄される必要があるＰＤＣＰ ＰＤＵのシーケンス番号情報、
ベアラ識別情報、
ベアラタイプ情報、
論理チャネル識別情報のうちの少なくとも１つを含む
ことを特徴とする請求項１８に記載のシグナリング伝送装置。
【請求項２０】
請求項１〜１０のいずれか１項に記載の方法をコンピュータに実行させる非一時的なコンピュータプログラムを記憶する
ことを特徴とするコンピュータ可読記憶媒体。
【手続補正３】
【補正対象書類名】図面
【補正対象項目名】全図
【補正方法】変更
【補正の内容】
【図１】
2021532619.tif 000012
【図２】
2021532619.tif 000013
【図３】
2021532619.tif 000014
【図４】
2021532619.tif 000015
【図５】
2021532619.tif 000016
【図６】
2021532619.tif 000017
【図７】
2021532619.tif 000018
【図８】
2021532619.tif 000019
【図９】
2021532619.tif 000020
【国際調査報告】
2021532619.tif 000021
2021532619.tif 000022
2021532619.tif 000023
2021532619.tif 000024